(57)【要約】  ワイヤレス通信のための方法、システム、およびデバイスが説明される。ユーザ機器(UE)は、基地局から、送信時間間隔(TTI)内のデータ通信のためのリソースグラントを受信し得る。UEは、基地局から、リソースグラントと関連付けられる制御信号構成および終了シンボルインデックスの指示を受信し得る。UEは、受信された指示に少なくとも一部基づいて、基準信号がデータ通信とともに通信されるべきであるTTIの中の複数のシンボル場所を特定し得る。
2020533865.tif 000002
【特許請求の範囲】
【請求項１】
ワイヤレス通信のための方法であって、
基地局から、送信時間間隔(TTI)内のデータ通信のためのリソースグラントを受信するステップと、
前記基地局から、前記リソースグラントと関連付けられる制御信号構成および終了シンボルインデックスの指示を受信するステップと、
受信された前記指示に少なくとも一部基づいて、基準信号が前記データ通信とともに通信されるべきである前記TTIの中の複数のシンボル場所を特定するステップとを含む、
方法。
【請求項２】
基準信号が通信されるべきである前記TTIの中の前記複数のシンボル場所を特定するステップが、
受信された前記指示に少なくとも一部基づいて、基準信号構成のセットから前記TTIのための基準信号構成を選択するステップと、
選択された前記基準信号構成に少なくとも一部基づいて、前記複数のシンボル場所を特定するステップとを含む、
請求項1に記載の方法。
【請求項３】
前記データ通信に使用される前記TTIの中の最後のデータシンボルと関連付けられるものとして、前記終了シンボルインデックスを特定するステップをさらに含む、
請求項1に記載の方法。
【請求項４】
基準信号が通信されるべきである前記TTIの中の前記複数のシンボル場所を特定するステップが、
前記基地局から、基準信号が通信されるべきである前記TTIの中の前記複数の場所のうちの最後のシンボル場所の追加の指示を受信するステップであって、前記追加の指示が、前記終了シンボルインデックスに対して相対的である、ステップと、
前記追加の指示に少なくとも一部基づいて、前記最後のシンボル場所を特定するステップとをさらに含む、
請求項3に記載の方法。
【請求項５】
前記追加の指示が、前記最後のシンボル場所が前記終了シンボルインデックスの前にあるか、または後にあるかを示す、
請求項4に記載の方法。
【請求項６】
前記追加の指示が、ダウンリンク制御インジケータ(DCI)の中の少なくとも1ビットを備える、
請求項4に記載の方法。
【請求項７】
前記追加の指示が、無線リソース制御(RRC)信号の中のフィールドを備える、
請求項4に記載の方法。
【請求項８】
前記複数のシンボル場所のうちの1つもしくは複数の1つまたは複数のリソース要素がデータ通信に利用可能であると判定するステップと、
前記周波数領域において、前記複数のシンボル場所のうちの前記1つまたは複数において通信される前記データ通信および基準信号を多重化するステップとをさらに含む、
請求項1に記載の方法。
【請求項９】
前記複数のシンボル場所のうちのあるシンボル場所のどのリソース要素も前記データ通信に利用可能ではないと判定するステップと、
前記決定に少なくとも一部基づいて、前記複数のシンボル場所のうちの前記シンボル場所において基準信号を通信するステップとをさらに含む、
請求項1に記載の方法。
【請求項１０】
前記方法は、
前記基地局から、前記TTIにおいて通信されるべき基準信号の数を示す基準信号カウント指示を受信するステップと、
前記基地局から、基準信号が通信されるべきである前記TTIの中の前記複数の場所の最後のシンボル場所の追加の指示を受信するステップとをさらに含み、
前記追加の指示が、前記終了シンボルインデックスに対して相対的であり、
前記TTIにおいて通信されるべき基準信号の前記数と前記複数のシンボル場所との間に矛盾が存在する場合、前記追加の指示が、前記基準信号カウント指示より優先される、
請求項1に記載の方法。
【請求項１１】
前記基準信号カウント指示が、無線リソース制御(RRC)信号において受信され、
前記追加の指示が、ダウンリンク制御インジケータ(DCI)シグナリングにおいて受信される、
請求項10に記載の方法。
【請求項１２】
ワイヤレス通信のための方法であって、
ユーザ機器(UE)に、送信時間間隔(TTI)内のデータ通信のためのリソースグラントを送信するステップと、
基準信号がデータ通信とともに通信されるべきである前記TTIの中の複数のシンボル場所を選択するステップと、
基準信号が通信されるべきである前記TTIの中の前記複数のシンボル場所を前記UEが特定することを可能にするために、前記リソースグラントと関連付けられる制御信号構成および終了シンボルインデックスの指示を送信するステップとを含む、
方法。
【請求項１３】
前記終了シンボルインデックスに対して相対的な、基準信号が通信されるべきである前記TTIの中の前記複数の場所のうちの最後のシンボル場所を選択するステップと、
前記最後のシンボル場所の追加の指示を前記UEに送信するステップとをさらに含む、
請求項12に記載の方法。
【請求項１４】
ダウンリンク制御インジケータ(DCI)の中の少なくとも1ビットにおいて前記追加の指示を送信するステップをさらに含む、
請求項13に記載の方法。
【請求項１５】
無線リソース制御(RRC)信号のフィールドにおいて前記追加の指示を送信するステップをさらに含む、
請求項13に記載の方法。
【請求項１６】
前記方法は、
前記UEに、前記TTIにおいて通信されるべき基準信号の数を示す基準信号カウント指示を送信するステップと、
前記UEに、基準信号が通信されるべきである前記TTIの中の前記複数の場所のうちの最後のシンボル場所の追加の指示を送信するステップとをさらに含み、
前記追加の指示が、前記終了シンボルインデックスに対して相対的であり、
前記TTIにおいて通信されるべき基準信号の前記数と前記1つまたは複数のシンボル場所との間に矛盾が存在する場合、前記追加の指示が、前記基準信号カウント指示より優先される、
請求項12に記載の方法。
【請求項１７】
ワイヤレス通信のための装置であって、
基地局から、送信時間間隔(TTI)内のデータ通信のためのリソースグラントを受信する手段と、
前記基地局から、前記リソースグラントと関連付けられる制御信号構成および終了シンボルインデックスの指示を受信する手段と、
受信された前記指示に少なくとも一部基づいて、基準信号が前記データ通信とともに通信されるべきである前記TTIの中の複数のシンボル場所を特定する手段とを備える、
装置。
【請求項１８】
基準信号が通信されるべきである前記TTIの中の前記複数のシンボル場所を特定する手段が、
受信された前記指示に少なくとも一部基づいて、基準信号構成のセットから前記TTIのための基準信号構成を選択する手段と、
選択された前記基準信号構成に少なくとも一部基づいて、前記複数のシンボル場所を特定する手段とを備える、
請求項17に記載の装置。
【請求項１９】
前記データ通信に使用される前記TTIの中の最後のデータシンボルと関連付けられるものとして、前記終了シンボルインデックスを特定する手段をさらに備える、
請求項17に記載の装置。
【請求項２０】
基準信号が通信されるべきである前記TTIの中の前記複数のシンボル場所を特定する手段が、
前記基地局から、基準信号が通信されるべきである前記TTIの中の前記複数の場所のうちの最後のシンボル場所の追加の指示を受信する手段であって、前記追加の指示が、前記終了シンボルインデックスに対して相対的である、手段と、
前記追加の指示に少なくとも一部基づいて、前記最後のシンボル場所を特定する手段とを備える、
請求項19に記載の装置。
【請求項２１】
前記追加の指示が、前記最後のシンボル場所が前記終了シンボルインデックスの前にあるか、または後にあるかを示す、
請求項20に記載の装置。
【請求項２２】
前記追加の指示が、ダウンリンク制御インジケータ(DCI)の中の少なくとも1ビットを備える、
請求項20に記載の装置。
【請求項２３】
前記追加の指示が無線リソース制御(RRC)信号の中のフィールドを備える、
請求項20に記載の装置。
【請求項２４】
前記複数のシンボル場所のうちの1つもしくは複数の1つまたは複数のリソース要素がデータ通信に利用可能であると判定する手段と、
前記周波数領域において、前記複数のシンボル場所のうちの前記1つまたは複数において通信される前記データ通信および基準信号を多重化する手段とをさらに備える、
請求項17に記載の装置。
【請求項２５】
前記複数のシンボル場所のうちのあるシンボル場所のどのリソース要素も前記データ通信に利用可能ではないと判定する手段と、
前記決定に少なくとも一部基づいて、前記複数のシンボル場所のうちの前記シンボル場所において基準信号を通信する手段とをさらに備える、
請求項17に記載の装置。
【請求項２６】
前記装置は、
前記基地局から、前記TTIにおいて通信されるべき基準信号の数を示す基準信号カウント指示を受信する手段と、
前記基地局から、基準信号が通信されるべきである前記TTIの中の前記複数の場所のうちの最後のシンボル場所の追加の指示を受信する手段とをさらに備え、
前記追加の指示が、前記終了シンボルインデックスに対して相対的であり、
前記TTIにおいて通信されるべき基準信号の前記数と前記複数のシンボル場所との間に矛盾が存在する場合、前記追加の指示が、前記基準信号カウント指示より優先される、
請求項17に記載の装置。
【請求項２７】
前記基準信号カウント指示が、無線リソース制御(RRC)信号において受信され、
前記追加の指示が、ダウンリンク制御インジケータ(DCI)シグナリングにおいて受信される、
請求項26に記載の装置。
【請求項２８】
ワイヤレス通信のための装置であって、
ユーザ機器(UE)に、送信時間間隔(TTI)内のデータ通信のためのリソースグラントを送信する手段と、
基準信号がデータ通信とともに通信されるべきである前記TTIの中の複数のシンボル場所を選択する手段と、
基準信号が通信されるべきである前記TTIの中の前記複数のシンボル場所を前記UEが特定することを可能にするために、前記リソースグラントと関連付けられる制御信号構成および終了シンボルインデックスの指示を送信する手段とを備える、
装置。
【請求項２９】
前記終了シンボルインデックスに対して相対的な、基準信号が通信されるべきである前記TTIの中の前記複数の場所のうちの最後のシンボル場所を選択する手段と、
前記最後のシンボル場所の追加の指示を前記UEに送信する手段とをさらに備える、
請求項28に記載の装置。
【請求項３０】
ダウンリンク制御インジケータ(DCI)の中の少なくとも1ビットにおいて前記追加の指示を送信する手段をさらに備える、
請求項29に記載の装置。
【請求項３１】
無線リソース制御(RRC)信号のフィールドにおいて前記追加の指示を送信する手段をさらに備える、
請求項29に記載の装置。
【請求項３２】
前記装置は、
前記UEに、前記TTIにおいて通信されるべき基準信号の数を示す基準信号カウント指示を送信する手段と、
前記UEに、基準信号が通信されるべきである前記TTIの中の前記複数の場所のうちの最後のシンボル場所の追加の指示を送信する手段とをさらに備え、
前記追加の指示が、前記終了シンボルインデックスに対して相対的であり、
前記TTIにおいて通信されるべき基準信号の前記数と前記1つまたは複数のシンボル場所との間に矛盾が存在する場合、前記追加の指示が、前記基準信号カウント指示より優先される、
請求項28に記載の装置。
【発明の詳細な説明】
【技術分野】
【０００１】
相互参照
本特許出願は、各々が本出願の譲受人に譲渡され、参照によって本明細書に明確に組み込まれる、2018年9月10日に出願された「Determination of Reference Signal Patterns」と題するNamらによる米国特許出願第16/126,576号、および2017年9月13日に出願された「Determination of Reference Signal Patterns」と題するNamらによる米国仮特許出願第62/558,291号の優先権を主張する。
【０００２】
以下は、全般にワイヤレス通信に関し、より具体的には、スロットまたは送信時間間隔(TTI)における基準信号パターンの決定に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多元接続システムの例には、Long Term Evolution(LTE)システムまたはLTE-Advanced(LTE-A)システムなどの第4世代(4G)システム、およびNew Radio (NR)システムと呼ばれることがある第5世代(5G)システムがある。これらのシステムは、符号分割多元接続(CDMA(登録商標))、時分割多元接続(TDMA)、周波数分割多元接続(FDMA)、直交周波数分割多元接続(OFDMA)、または離散フーリエ変換-拡散-OFDM(DFT-S-OFDM)などの技法を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【発明の概要】
【発明が解決しようとする課題】
【０００４】
ワイヤレス通信システムは、データ通信とともに様々な非データ信号、たとえば基準信号、同期信号などの送信をサポートするように構成され得る。たとえば、データ通信(アップリンクデータ通信またはダウンリンクデータ通信のいずれか)は、複数のシンボル期間を含むデータチャネル(たとえば、物理ダウンリンク共有チャネル(PDSCH)または物理アップリンク共有チャネル(PUSCH))において送信され得る。各シンボル期間は、データ通信のために、非データ信号のために、またはいくつかの例では、シンボルにおいて多重化されるデータ信号および非データ信号のために使用され得る。通信デバイス(たとえば、UEおよび/または基地局)は、データチャネルにおける非データ信号の位置を認識している必要がある。しかしながら、非データ信号の位置を明示的に通信することは、信号および/または処理に関して貴重なオーバーヘッドを必要とする。その上、NRワイヤレス通信システムなどの次世代ワイヤレスシステムは、特定のスロット内のデータチャネルの開始と終了の場所(たとえば、シンボル)または時間長が任意であり得るように、データチャネルのスケジューリングに関してより高い柔軟性をもたらし得る。したがって、データチャネル内での非データ信号位置の位置を効率的にシグナリングし、かつ/または決定する、さらなる必要性がある。
【課題を解決するための手段】
【０００５】
説明される技法は、スロットまたは送信時間間隔(TTI)内の基準信号パターンの決定をサポートする、改善された方法、システム、デバイス、または装置に関する。一般に、説明される技法は、データチャネルにおける非データ信号の位置をシグナリングおよび/または決定するための効率的な機構を可能にする。データチャネルは、ダウンリンクデータチャネル(たとえば、物理ダウンリンク共有チャネル(PDSCH))またはアップリンクチャネル(たとえば、物理アップリンク共有チャネル(PUSCH))であり得る。データチャネルは、データ通信により占有されるシンボルの数がTTIごとに変動し得るという点で、サイズが変動し得る。いくつかの態様では、基地局は、データチャネルにおける、かつTTI(たとえば、スロット、サブフレームなど)の間の、データ通信のためにユーザ機器(UE)にリソースを許可し得る。基地局は、リソースグラントの指示をUEに搬送し、また、リソースグラントに対する制御信号構成および終了シンボルインデックスの指示を搬送し得る。UEは、基地局からその指示を受信し、非データ信号(たとえば、基準信号)が通信されるべきであるTTIの中のシンボル場所を特定し得る。非データ信号は、基準信号(たとえば、復調基準信号(DMRS)、チャネル状態情報基準信号(CSI-RS)など)、同期信号(たとえば、1次同期信号(PSS)、2次同期信号(SSS)など)、物理ランダムアクセスチャネル(PRACH)信号などを含み得る。この指示は、TTI内の非データ信号位置を特定するためにUEが使用する特定の基準信号構成へのポインタ(たとえば、複数の利用可能な基準信号構成からの1つの基準信号構成へのインデックス)を含み得る。いくつかの事例では、TTIは、既知の位置(たとえば、制御チャネルシンボルの後の最初のシンボル)にデフォルトの非データ信号を含むことがあり、この指示は、TTIにおいて通信される任意の追加の非データ信号の位置を決定するためにUEによって使用されることがある。
【０００６】
ワイヤレス通信の方法が説明される。方法は、基地局から、TTI内のデータ通信のためのリソースグラントを受信するステップと、基地局から、リソースグラントと関連付けられる制御信号構成および終了シンボルインデックスの指示を受信するステップと、受信された指示に少なくとも一部基づいて、基準信号がデータ通信とともに通信されるべきであるTTIの中の複数のシンボル場所を特定するステップとを含み得る。
【０００７】
ワイヤレス通信のための装置が説明される。装置は、基地局から、TTI内のデータ通信のためのリソースグラントを受信する手段と、基地局から、リソースグラントと関連付けられる制御信号構成および終了シンボルインデックスの指示を受信する手段と、受信された指示に少なくとも一部基づいて、基準信号がデータ通信とともに通信されるべきであるTTIの中の複数のシンボル場所を特定する手段とを含み得る。
【０００８】
ワイヤレス通信のための別の装置が説明される。装置は、プロセッサと、プロセッサと電子的に通信しているメモリと、メモリに記憶された命令とを含み得る。命令は、プロセッサに、基地局から、TTI内のデータ通信のためのリソースグラントを受信させ、基地局から、リソースグラントと関連付けられる制御信号構成および終了シンボルインデックスの指示を受信させ、受信された指示に少なくとも一部基づいて、基準信号がデータ通信とともに通信されるべきであるTTIの中の複数のシンボル場所を特定させるように動作可能であり得る。
【０００９】
ワイヤレス通信のための非一時的コンピュータ可読媒体が説明される。非一時的コンピュータ可読媒体は、プロセッサに、基地局から、TTI内のデータ通信のためのリソースグラントを受信させ、基地局から、リソースグラントと関連付けられる制御信号構成および終了シンボルインデックスの指示を受信させ、受信された指示に少なくとも一部基づいて、基準信号がデータ通信とともに通信されるべきであるTTIの中の複数のシンボル場所を特定させるように動作可能な命令を含み得る。
【００１０】
上で説明された方法、装置、および非一時的コンピュータ可読媒体のいくつかの例では、基準信号が通信されるべきであり得るTTIの中の複数のシンボル場所を特定することは、受信された指示に少なくとも一部基づいて基準信号構成のセットからTTIに対する基準信号構成を選択することを備える。上で説明された方法、装置、および非一時的コンピュータ可読媒体のいくつかの例はさらに、選択された基準信号構成に少なくとも一部基づいて、複数のシンボル場所を特定するためのプロセス、特徴、手段、または命令を含み得る。
【００１１】
上で説明された方法、装置、および非一時的コンピュータ可読媒体のいくつかの例はさらに、データ通信のために使用されるTTIの中の最後のデータシンボルと関連付けられるものとして、終了シンボルインデックスを特定するためのプロセス、特徴、手段、または命令を含み得る。
【００１２】
上で説明された方法、装置、および非一時的コンピュータ可読媒体のいくつかの例では、基準信号が通信されるべきであり得るTTIの中の複数のシンボル場所を特定することはさらに、基地局から、基準信号が通信されるべきであり得るTTIの中の複数の場所の最後のシンボル場所の追加の指示を受信することを備え、追加の指示は終了シンボルインデックスに対して相対的である。上で説明された方法、装置、および非一時的コンピュータ可読媒体のいくつかの例はさらに、追加の指示に少なくとも一部基づいて最後のシンボル場所を特定するためのプロセス、特徴、手段、または命令を含み得る。
【００１３】
上で説明された方法、装置、および非一時的コンピュータ可読媒体のいくつかの例では、追加の指示は、最後のシンボル場所が終了シンボルインデックスの前にあり得るか、または後にあり得るかを示す。
【００１４】
上で説明された方法、装置、および非一時的コンピュータ可読媒体のいくつかの例では、追加の指示は、ダウンリンク制御インジケータ(DCI)の中の少なくとも1ビットを備える。
【００１５】
上で説明された方法、装置、および非一時的コンピュータ可読媒体のいくつかの例では、追加の指示は、無線リソース制御(RRC)信号の中のフィールドを備える。
【００１６】
上で説明された方法、装置、および非一時的コンピュータ可読媒体のいくつかの例はさらに、複数のシンボル場所のうちの1つもしくは複数の1つまたは複数のリソース要素がデータ通信に利用可能であり得る決定するためのプロセス、特徴、手段、または命令を含み得る。上で説明された方法、装置、および非一時的コンピュータ可読媒体のいくつかの例はさらに、周波数領域において、複数のシンボル場所のうちの1つもしくは複数において通信されるデータ通信および基準信号を多重化するためのプロセス、特徴、手段、または命令を含み得る。
【００１７】
上で説明された方法、装置、および非一時的コンピュータ可読媒体のいくつかの例はさらに、複数のシンボル場所のうちのあるシンボル場所のどのリソース要素もデータ通信に利用可能ではないことがあることを決定するためのプロセス、特徴、手段、または命令を含み得る。上で説明された方法、装置、および非一時的コンピュータ可読媒体のいくつかの例はさらに、その決定に少なくとも一部基づいて、複数のシンボル場所のうちのそのシンボル場所において基準信号を通信するためのプロセス、特徴、手段、または命令を含み得る。
【００１８】
上で説明された方法、装置、および非一時的コンピュータ可読媒体のいくつかの例はさらに、基地局から、TTIにおいて通信されるべき基準信号の数を示す基準信号カウント指示を受信するためのプロセス、特徴、手段、または命令を含み得る。上で説明された方法、装置、および非一時的コンピュータ可読媒体のいくつかの例はさらに、基地局から、基準信号が通信されるべきであり得るTTIの中の複数の場所の最後のシンボル場所の追加の指示を受信するためのプロセス、特徴、手段、または命令を含むことがあり、追加の指示は終了シンボルインデックスに対して相対的であり、TTIにおいて通信されるべき基準信号の数と複数のシンボル場所との間に矛盾が存在する場合、追加の指示が基準信号カウント指示より優先され得る。
【００１９】
上で説明された方法、装置、および非一時的コンピュータ可読媒体のいくつかの例では、基準信号カウント指示はRRC信号において受信されることがあり、追加の指示はDCIシグナリングにおいて受信されることがある。
【００２０】
ワイヤレス通信の方法が説明される。方法は、UEに、TTI内のデータ通信のためのリソースグラントを送信するステップと、基準信号がデータ通信とともに通信されるべきであるTTIの中の複数のシンボル場所を選択するステップと、基準信号が通信されるべきであるTTIの中の複数のシンボル場所をUEが特定することを可能にするために、リソースグラントと関連付けられる制御信号構成および終了シンボルインデックスの指示を送信するステップとを含み得る。
【００２１】
ワイヤレス通信のための装置が説明される。装置は、UEに、TTI内のデータ通信のためのリソースグラントを送信する手段と、基準信号がデータ通信とともに通信されるべきであるTTIの中の複数のシンボル場所を選択する手段と、基準信号が通信されるべきであるTTIの中の複数のシンボル場所をUEが特定することを可能にするために、リソースグラントと関連付けられる制御信号構成および終了シンボルインデックスの指示を送信する手段とを含み得る。
【００２２】
ワイヤレス通信のための別の装置が説明される。装置は、プロセッサと、プロセッサと電子的に通信しているメモリと、メモリに記憶された命令とを含み得る。命令は、プロセッサに、UEへ、TTI内のデータ通信のためのリソースグラントを送信させ、基準信号がデータ通信とともに通信されるべきであるTTIの中の複数のシンボル場所を選択させ、基準信号が通信されるべきであるTTIの中の複数のシンボル場所をUEが特定することを可能にするために、リソースグラントと関連付けられる制御信号構成および終了シンボルインデックスの指示を送信させるように動作可能であり得る。
【００２３】
ワイヤレス通信のための非一時的コンピュータ可読媒体が説明される。非一時的コンピュータ可読媒体は、プロセッサに、UEへ、TTI内のデータ通信のためのリソースグラントを送信させ、基準信号がデータ通信とともに通信されるべきであるTTIの中の複数のシンボル場所を選択させ、基準信号が通信されるべきであるTTIの中の複数のシンボル場所をUEが特定することを可能にするために、リソースグラントと関連付けられる制御信号構成および終了シンボルインデックスの指示を送信させるように動作可能な命令を含み得る。
【００２４】
上で説明された方法、装置、および非一時的コンピュータ可読媒体のいくつかの例はさらに、終了シンボルインデックスに対して相対的な、基準信号が通信されるべきであるTTIの中の複数の場所の最後のシンボル場所を選択するためのプロセス、特徴、手段、または命令を含み得る。上で説明された方法、装置、および非一時的コンピュータ可読媒体のいくつかの例はさらに、最後のシンボル場所の追加の指示をUEに送信するための、プロセス、特徴、手段、または命令を含み得る。
【００２５】
上で説明された方法、装置、および非一時的コンピュータ可読媒体のいくつかの例はさらに、DCIの少なくとも1ビットにおいて追加の指示を送信するためのプロセス、特徴、手段、または命令を含み得る。
【００２６】
上で説明された方法、装置、および非一時的コンピュータ可読媒体のいくつかの例はさらに、RRC信号のフィールドにおいて追加の指示を送信するためのプロセス、特徴、手段、または命令を含み得る。
【００２７】
上で説明された方法、装置、および非一時的コンピュータ可読媒体のいくつかの例はさらに、UEに、TTIにおいて通信されるべき基準信号の数を示す基準信号カウント指示を送信するためのプロセス、特徴、手段、または命令を含み得る。上で説明された方法、装置、および非一時的コンピュータ可読媒体のいくつかの例はさらに、UEに、基準信号が通信されるべきであり得るTTIの中の複数の場所の最後のシンボル場所の追加の指示を送信するためのプロセス、特徴、手段、または命令を含むことがあり、追加の指示は終了シンボルインデックスに対して相対的であり、TTIにおいて通信されるべき基準信号の数と1つまたは複数のシンボル場所との間に矛盾が存在する場合、追加の指示が基準信号カウント指示より優先され得る。
【図面の簡単な説明】
【００２８】
【図１】本開示の態様による、基準信号パターンの決定をサポートするワイヤレス通信のためのシステムの例を示す図である。
【図２Ａ】本開示の態様による、基準信号パターンの決定をサポートするスロット構成の例を示す図である。
【図２Ｂ】本開示の態様による、基準信号パターンの決定をサポートするスロット構成の例を示す図である。
【図２Ｃ】本開示の態様による、基準信号パターンの決定をサポートするスロット構成の例を示す図である。
【図２Ｄ】本開示の態様による、基準信号パターンの決定をサポートするスロット構成の例を示す図である。
【図２Ｅ】本開示の態様による、基準信号パターンの決定をサポートするスロット構成の例を示す図である。
【図２Ｆ】本開示の態様による、基準信号パターンの決定をサポートするスロット構成の例を示す図である。
【図３Ａ】本開示の態様による、基準信号パターンの決定をサポートするスロット構成の例を示す図である。
【図３Ｂ】本開示の態様による、基準信号パターンの決定をサポートするスロット構成の例を示す図である。
【図４】本開示の態様による、基準信号パターンの決定をサポートするスロット構成の例を示す図である。
【図５】本開示の態様による、基準信号パターンの決定をサポートするスロット構成の例を示す図である。
【図６】本開示の態様による、基準信号パターンの決定をサポートするデバイスのブロック図である。
【図７】本開示の態様による、基準信号パターンの決定をサポートするデバイスのブロック図である。
【図８】本開示の態様による、基準信号パターンの決定をサポートするデバイスのブロック図である。
【図９】本開示の態様による、基準信号パターンの決定をサポートするユーザ機器(UE)を含むシステムのブロック図である。
【図１０】本開示の態様による、基準信号パターンの決定をサポートするデバイスのブロック図である。
【図１１】本開示の態様による、基準信号パターンの決定をサポートするデバイスのブロック図である。
【図１２】本開示の態様による、基準信号パターンの決定をサポートするデバイスのブロック図である。
【図１３】本開示の態様による、基準信号パターンの決定をサポートする基地局を含むシステムのブロック図である。
【図１４】本開示の態様による、基準信号パターンの決定のための方法を示す図である。
【図１５】本開示の態様による、基準信号パターンの決定のため方法を示す図である。
【図１６】本開示の態様による、基準信号パターンの決定のための方法を示す図である。
【図１７】本開示の態様による、基準信号パターンの決定のための方法を示す図である。
【図１８】本開示の態様による、基準信号パターンの決定のための方法を示す図である。
【発明を実施するための形態】
【００２９】
いくつかのワイヤレス通信システムは、アップリンクデータチャネル(たとえば、物理アップリンク共有チャネル(PUSCH))またはダウンリンクチャネル(たとえば、物理ダウンリンク共有チャネル(PDSCH))などの、データチャネルの柔軟なスケジューリングをサポートし得る。データは、スロット、サブフレームなどの、送信時間間隔(TTI)の間に通信され得る。非データ信号(たとえば、基準信号、同期信号など)は、たとえば同じスロットの中の、TTIの間にも通信され得る。しかしながら、通信デバイスは、TTIの中のどこでデータ信号が通信されているか、および非データ信号が通信されているかを知らなければならない。従来の技法は、TTIにおけるデータ信号および非データ信号の位置の明示的なシグナリングを利用することがあり、このことは、シグナリング、処理などに関してオーバーヘッドコストを招く。したがって、ユーザ機器(UE)などの通信デバイスが、データ通信とともにTTIにおいて送信される非データ信号の位置を決定することを可能にする、より効率的な機構が必要である。
【００３０】
本開示の態様は、最初にワイヤレス通信システムの文脈で説明される。一般に、基地局は、TTIの中のどこで非データ信号が通信されているかを特定し、位置の指示をUEに送信する。しかしながら、送信される指示は、前に行われたように、通信されている非データ信号をどのシンボルが含むかの明示的な指示ではないことがある。代わりに、この指示は、非データ信号が通信されているTTIの中のシンボルをUEが特定することを可能にする、終了シンボルインデックスを、他の既知のまたは示された情報(データ通信のためのリソースグラントなど)とともに送信することを含み得る。たとえば、基地局は、制御信号構成および終了シンボルインデックスの指示を(リソースグラントとともに)UEに示し得る。UEは、データ通信とともに非データ信号通信のためにどのシンボル場所が使用されているかを特定するために、基地局からの指示(およびリソースグラント)を使用し得る。UEおよび基地局は、リソースグラントと、非データ信号が通信されるTTIの中のシンボル場所とに従って、通信を実行し得る。
【００３１】
本開示の態様はさらに、基準信号パターンの決定に関する、装置図、システム図、およびフローチャートによって示され、それらを参照して説明される。
【００３２】
図1は、本開示の様々な態様による、ワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)ネットワーク、LTE-Advanced(LTE-A)ネットワーク、またはNew Radio(NR)ネットワークであり得る。いくつかの場合、ワイヤレス通信システム100は、拡張ブロードバンド通信、超高信頼性(たとえば、ミッションクリティカル)通信、低レイテンシ通信、または低コストで低複雑度のデバイスとの通信をサポートし得る。
【００３３】
基地局105は、1つまたは複数の基地局アンテナを介してUE115とワイヤレスに通信し得る。本明細書で説明される基地局105は、基地トランシーバ局、無線基地局、アクセスポイント、無線トランシーバ、NodeB、eNodeB(eNB)、(そのいずれもgNBと呼ばれることがある)次世代NodeBもしくはgiga-nodeB、Home NodeB、Home eNodeB、または何らかの他の好適な用語を含むことがあり、あるいは、そのように当業者によって呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、リレー基地局などを含む、様々なタイプの基地局105およびネットワーク機器と通信することが可能であり得る。
【００３４】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100に示された通信リンク125は、UE115から基地局105へのアップリンク送信、または基地局105からUE115へのダウンリンク送信を含み得る。ダウンリンク送信は、順方向リンク送信と呼ばれることもあり、アップリンク送信は、逆方向リンク送信と呼ばれることもある。
【００３５】
基地局105のための地理的カバレッジエリア110は、地理的カバレッジエリア110の一部分のみを構成するセクタへと分割されることがあり、各セクタはセルと関連付けられることがある。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する異種LTE/LTE-AまたはNRネットワークを含み得る。
【００３６】
「セル」という用語は、(たとえば、キャリア上での)基地局105との通信のために使用される論理通信エンティティを指し、同じまたは異なるキャリアを介して動作する近隣のセルを区別するための識別子(たとえば、物理セル識別子(PCID)、仮想セル識別子(VCID))と関連付けられ得る。いくつかの例では、キャリアは、複数のセルをサポートすることができ、異なるセルは、異なるタイプのデバイスのためのアクセスを提供し得る異なるプロトコルタイプ(たとえば、マシンタイプ通信(MTC)、狭帯域Internet-of-Things (NB-IoT)、拡張モバイルブロードバンド(eMBB)、またはその他)に従って構成され得る。いくつかの場合、「セル」という用語は、その上で論理エンティティが動作する地理的カバレッジエリア110の一部分(たとえば、セクタ)を指し得る。
【００３７】
UE115は、ワイヤレス通信システム100全体にわたって分散していることがあり、各UE115は固定式または移動式であることがある。UE115は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。UE115はまた、携帯電話、携帯情報端末(PDA)、タブレットコンピュータ、ラップトップコンピュータ、またはパーソナルコンピュータなどの、パーソナル電子デバイスであり得る。いくつかの例では、UE115はまた、器具、車両、メーターなど、様々な物品において実装され得る、ワイヤレスローカルループ(WLL)局、Internet of Things (IoT)デバイス、Internet of Everything (IoE)デバイス、またはMTCデバイスなどを指し得る。
【００３８】
MTCデバイスまたはIoTデバイスなどの、いくつかのUE115は、低コストまたは低複雑度のデバイスであることがあり、マシン間の自動化された通信(たとえば、マシンツーマシン(M2M)通信を介した)を可能にすることがある。M2M通信またはMTCは、人が介在することなく、デバイスが互いにまたは基地局105と通信することを可能するデータ通信技術を指すことがある。いくつかの例では、M2M通信またはMTCは、センサーまたはメーターを統合して情報を測定または捕捉し、その情報を利用できる中央サーバもしくはアプリケーションプログラムにその情報を中継するか、またはプログラムもしくはアプリケーションと対話する人に情報を提示するデバイスからの通信を含み得る。いくつかのUE115は、情報を収集し、またはマシンの自動化された挙動を可能にするように設計され得る。MTCデバイスの用途の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースのビジネス課金を含む。
【００３９】
一部のUE115は、半二重通信(たとえば、送信または受信を介した一方向通信をサポートするが、同時の送信および受信をサポートしないモード)などの、電力消費を減らす動作モードを利用するように構成され得る。いくつかの例では、半二重通信は、低減されたピークレートで実行され得る。UE115のための他の電力節約技法は、アクティブな通信に関与しないとき、または(たとえば、狭帯域通信に従って)限られた帯域幅にわたって動作しているとき、電力を節約する「ディープスリープ」モードに入ることを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００４０】
いくつかの場合、UE115はまた、(たとえば、ピアツーピア(P2P)またはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合には、D2D通信を介して通信するUE115のグループは、各UE115がグループ中のあらゆる他のUE115に送信する1対多(1:M)システムを利用し得る。いくつかの場合、基地局105が、D2D通信のためのリソースのスケジューリングを促進する。他の場合には、D2D通信は、基地局105が関与することなくUE115間で行われる。
【００４１】
基地局105は、コアネットワーク130および互いと通信し得る。たとえば、基地局105は、バックホールリンク132を通じて(たとえば、S1または他のインターフェースを介して)コアネットワーク130とインターフェースし得る。基地局105は、バックホールリンク134上で(たとえば、X2または他のインターフェースを介して)、直接(たとえば、基地局105間で直接)または間接的に(たとえば、コアネットワーク130を介して)のいずれかで互いと通信し得る。
【００４２】
コアネットワーク130は、ユーザ認証、アクセス許可、トラッキング、インターネットプロトコル(IP)接続性、および他のアクセス機能、ルーティング機能、またはモビリティ機能を提供し得る。コアネットワーク130は、evolved packet core (EPC)であることがあり、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含むことがある。MMEは、EPCと関連付けられる基地局105によってサービスされるUE115のためのモビリティ、認証、およびベアラ管理など、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００４３】
基地局105などのネットワークデバイスのうちの少なくともいくつかは、アクセスネットワークエンティティなどのサブコンポーネントを含むことがあり、アクセスネットワークエンティティは、アクセスノードコントローラ(ANC)の例であることがある。各アクセスネットワークエンティティは、無線ヘッド、スマート無線ヘッド、または送信/受信ポイント(TRP)と呼ばれ得る、いくつかの他のアクセスネットワーク送信エンティティを通じてUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されることがあり、または単一のネットワークデバイス(たとえば、基地局105)に統合されることがある。
【００４４】
ワイヤレス通信システム100は、一般に300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長の長さが、およそ1デシメートルから1メートルに及ぶからである。UHF波は、建物および環境特性によって遮断され得るか、または方向変換され得る。しかしながら、これらの波は、マクロセルが屋内に位置するUE115にサービスを提供するのに十分に構造を貫通し得る。UHF波の送信は、300MHz未満のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００４５】
ワイヤレス通信システム100はまた、センチメートル帯域としても知られている、3GHzから30GHzまでの周波数帯域を使用する超高周波(SHF)領域において動作し得る。SHF領域は、他のユーザからの干渉を許容し得るデバイスによって機会主義的に使用され得る、5GHz産業科学医療(ISM)帯域などの帯域を含む。
【００４６】
ワイヤレス通信システム100は、ミリメートル帯域としても知られている、(たとえば、30GHzから300GHzの)スペクトルの極高周波(EHF)領域内で動作することもできる。いくつかの例では、ワイヤレス通信システム100は、UE115と基地局105との間のミリメートル波(mmW)通信をサポートすることができ、それぞれのデバイスのEHFアンテナは、UHFアンテナよりさらに小さいことがあり、より密に間隔が空けられることがある。いくつかの場合、これは、UE115内のアンテナアレイの使用を容易にし得る。しかしながら、EHF送信の伝搬は、SHF送信またはUHF送信よりもさらに大きい大気減衰を受け、距離がより短いことがある。本明細書で開示される技法は、1つまたは複数の異なる周波数領域を使用する送信にわたって利用されることがあり、これらの周波数領域にわたる帯域の指定される使用は、国ごとにまたは規制団体ごとに異なり得る。
【００４７】
いくつかの場合、ワイヤレス通信システム100は、免許無線周波数スペクトル帯域と免許不要無線周波数スペクトル帯域の両方を利用し得る。たとえば、ワイヤレス通信システム100は、5GHz ISM帯域などの免許不要帯域において、License Assisted Access(LAA)、LTE-Unlicensed(LTE-U)無線アクセス技術、またはNR技術を利用し得る。免許不要無線周波数スペクトル帯域において動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するCCとともにCA構成に基づいてよい(たとえば、LAA)。免許不要スペクトルにおける動作は、ダウンリンク送信、アップリンク送信、ピアツーピア送信、またはこれらの組合せを含み得る。免許不要スペクトルにおける複信は、周波数分割複信(FDD)、時分割複信(TDD)、またはその両方の組合せに基づき得る。
【００４８】
いくつかの例では、基地局105またはUE115は複数のアンテナを装備することがあり、これらは、送信ダイバーシティ、受信ダイバーシティ、多入力多出力(MIMO)通信、またはビームフォーミングなどの技法を利用するために使用されることがある。たとえば、ワイヤレス通信システム100は、送信デバイス(たとえば、基地局105)と受信デバイス(たとえば、UE115)との間である送信方式を使用することができ、ここで、送信デバイスは複数のアンテナを装備し、受信デバイスは1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号が、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々が、別個の空間ストリームと呼ばれることがあり、同じデータストリーム(たとえば、同じコード語)または異なるデータストリームと関連付けられるビットを搬送することがある。異なる空間レイヤが、チャネル測定および報告のために使用される異なるアンテナポートと関連付けられることがある。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００４９】
空間フィルタリング、指向性送信、または指向性受信とも呼ばれることがあるビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに関して特定の方向に伝播する信号が強め合う干渉を受ける一方で、他の信号が弱め合う干渉を受けるように、アンテナアレイのアンテナ要素を介して通信される信号を合成することによって達成され得る。アンテナ要素を介して通信される信号の調整は、送信デバイスまたは受信デバイスが、デバイスと関連付けられるアンテナ要素の各々を介して搬送される信号にある程度の振幅および位相のオフセットを適用することを含み得る。アンテナ要素の各々と関連付けられる調整は、(たとえば、送信デバイスもしくは受信デバイスのアンテナアレイに対する、または何らかの他の向きに対する)特定の向きと関連付けられるビームフォーミング重みセットによって定義され得る。
【００５０】
一例では、基地局105は、UE115との指向性通信のためのビームフォーミング動作を行うために、複数のアンテナまたはアンテナアレイを使用し得る。たとえば、一部の信号(たとえば、同期信号、基準信号、ビーム選択信号、または他の制御信号)は、基地局105によって異なる方向に複数回送信されることがあり、これは、信号が異なる送信方向と関連付けられる異なるビームフォーミング重みセットに従って送信されることを含むことがある。異なるビーム方向への送信は、基地局105による後続の送信および/または受信のためのビーム方向を(たとえば、基地局105またはUE115などの受信デバイスによって)特定するために使用され得る。特定の受信デバイスと関連付けられるデータ信号などの一部の信号は、単一のビーム方向(たとえば、UE115などの受信デバイスと関連付けられる方向)に基地局105によって送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で受信した信号の指示、または別様に許容可能な信号品質を基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用することができる。
【００５１】
受信デバイス(たとえば、mmW受信デバイスの例であり得るUE115)は、同期信号、基準信号、ビーム選択信号、または他の制御信号などの、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれもが、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に少なくとも部分的に基づいて決定されたビーム方向(たとえば、複数のビーム方向に従った聴取に少なくとも一部基づいて、最高の信号強度、最高の信号対雑音比、または別様に許容可能な信号品質を有すると決定されたビーム方向)に揃えられ得る。
【００５２】
いくつかの場合、基地局105またはUE115のアンテナは、MIMO動作をサポートし得る、または送信ビームフォーミングもしくは受信ビームフォーミングをサポートし得る、1つまたは複数のアンテナアレイ内に配置され得る。たとえば、1つもしくは複数の基地局アンテナまたはアンテナアレイは、アンテナタワーなどのアンテナアセンブリにおいて一緒に置かれ得る。いくつかの場合、基地局105と関連付けられるアンテナまたはアンテナアレイは、多様な地理的位置に位置し得る。基地局105は、基地局105がUE115との通信のビームフォーミングをサポートするために使用し得るアンテナポートのいくつかの行および列を伴うアンテナアレイを有し得る。同様に、UE115は、様々なMIMO動作またはビームフォーミング動作をサポートし得る1つまたは複数のアンテナアレイを有し得る。
【００５３】
いくつかの場合、ワイヤレス通信システム100は、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するためにパケットセグメント化および再アセンブリを実行し得る。媒体アクセス制御(MAC)レイヤは、優先処理、およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルが物理チャネルにマッピングされ得る。
【００５４】
いくつかの場合、UE115および基地局105は、データの受信に成功する可能性を高めるためにデータの再送信をサポートし得る。HARQフィードバックは、データが通信リンク125上で正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)においてMACレイヤにおけるスループットを改善し得る。いくつかの場合、ワイヤレスデバイスが同一スロットHARQフィードバックをサポートすることがあり、同一スロットHARQフィードバックにおいて、デバイスは、特定のスロット中の前のシンボルにおいて受信されたデータに対するHARQフィードバックを、そのスロットにおいて提供し得る。他の場合には、デバイスは、後続のスロット中で、または何らかの他の時間間隔に従ってHARQフィードバックを提供し得る。
【００５５】
LTEまたはNRにおける時間間隔は、たとえば、Ts=1/30,720,000秒というサンプリング周期を基準とし得る、基本時間単位の倍数で表され得る。通信リソースの時間間隔は、10ミリ秒(ms)の時間長を各々有する無線フレームに従って編成されることがあり、ここでフレーム期間はTf=307,200Tsと表されることがある。無線フレームは、0から1023にわたるシステムフレーム番号(SFN)によって特定され得る。各フレームは0から9の番号が付けられた10個のサブフレームを含むことがあり、各サブフレームは1msの時間長を有することがある。サブフレームはさらに、各々0.5msの時間長を有する2つのスロットへと分割されることがあり、各スロットが、6個または7個の変調シンボル期間(各シンボル期間の先頭に追加される巡回プレフィックスの長さに依存する)を含むことがある。巡回プレフィックスを除いて、各シンボル期間は2048個のサンプリング期間を含み得る。いくつかの場合、サブフレームは、ワイヤレス通信システム100の最小のスケジューリング単位であることがあり、TTIと呼ばれることがある。他の場合には、ワイヤレス通信システム100の最小のスケジューリング単位は、サブフレーム(たとえば、スロット)より短いことがあり、または(たとえば、短縮TTI(sTTI)のバーストにおいて、またはsTTIを使用する選択されたコンポーネントキャリアにおいて)動的に選択されることがある。
【００５６】
一部のワイヤレス通信システムにおいて、スロットはさらに、1つまたは複数のシンボルを含む複数のミニスロットへと分割され得る。いくつかの事例では、ミニスロットのシンボルまたはミニスロットがスケジューリングの最小単位であり得る。各シンボルは、たとえば、サブキャリア間隔または動作周波数帯域に依存して、時間長が変動し得る。さらに、一部のワイヤレス通信システムは、UE115と基地局105との間の通信のために複数のスロットまたはミニスロットが一緒に集約されて使用される、スロットアグリゲーションを実装し得る。
【００５７】
「キャリア」という用語は、通信リンク125上で通信をサポートするための定義された物理レイヤ構造を有する無線周波数スペクトルリソースのセットを指す。たとえば、通信リンク125のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送することができる。キャリアは、事前に定義された周波数チャネル(たとえば、E-UTRA絶対無線周波数チャネル番号(EARFCN))と関連付けられることがあり、UE115による発見のためにチャネルラスタに従って配置されることがある。キャリアは、ダウンリンクまたはアップリンク(たとえば、FDDモードの)であることがあり、またはダウンリンク通信およびアップリンク通信を(たとえば、TDDモードで)搬送するように構成されることがある。いくつかの例では、キャリア上で送信される信号波形は、(たとえば、OFDMまたはDFT-s-OFDMなどのマルチキャリア変調(MCM)技法を使用して)複数のサブキャリアから構成され得る。
【００５８】
キャリアの組織構造は、異なる無線アクセス技術(たとえば、LTE、LTE-A、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の取得シグナリング(たとえば、同期信号またはシステム情報など)と、キャリアのための動作を協調させる制御シグナリングとを含み得る。いくつかの例(たとえば、キャリアアグリゲーション構成における)では、キャリアはまた、他のキャリアのための動作を協調させる取得シグナリングまたは制御シグナリングを有し得る。
【００５９】
物理チャネルは、様々な技法に従ってキャリア上で多重化され得る。物理制御チャネルおよび物理データチャネルは、ダウンリンクチャネル上で、たとえば、時分割多重化(TDM)技法、周波数分割多重化(FDM)技法、またはハイブリッドTDM-FDM技法を使用して多重化され得る。いくつかの例では、物理制御チャネルにおいて送信される制御情報は、異なる制御領域の間に(たとえば、共通制御領域または共通探索空間と1つまたは複数のUE固有の制御領域またはUE固有の探索空間との間に)カスケード方式で分散され得る。
【００６０】
キャリアは、無線周波数スペクトルの特定の帯域幅と関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅(たとえば、1.4、3、5、10、15、20、40、または80MHz)のうちの1つであり得る。いくつかの例では、各々のサービスされるUE115は、キャリア帯域幅の部分またはすべてにわたって動作するために構成され得る。他の例では、一部のUE115は、キャリア内のあらかじめ定義された部分または範囲(たとえば、サブキャリアまたはRBのセット)と関連付けられる狭帯域プロトコルタイプを使用した動作のために構成され得る(たとえば、狭帯域プロトコルタイプの「帯域内」展開)。
【００６１】
MCM技法を利用するシステムでは、リソース要素は、1つのシンボル期間(たとえば、1つの変調シンボルの時間長)および1つのサブキャリアからなることがあり、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、かつ変調方式の次数が高いほど、UE115に対するデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用はさらに、UE115との通信のデータレートを上げることができる。
【００６２】
ワイヤレス通信システム100のデバイス(たとえば、基地局105またはUE115)は、特定のキャリア帯域幅を介した通信をサポートするハードウェア構成を有することがあり、または、キャリア帯域幅のセットのうちの1つを介した通信をサポートするように構成可能であってもよい。いくつかの例では、ワイヤレス通信システム100は、2つ以上の異なるキャリア帯域幅と関連付けられるキャリアを介した同時の通信をサポートすることができる、基地局105および/またはUEを含み得る。
【００６３】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCと1つまたは複数のアップリンクCCとで構成され得る。キャリアアグリゲーションは、FDDコンポーネントキャリアとTDDコンポーネントキャリアの両方とともに使用され得る。
【００６４】
いくつかの場合、ワイヤレス通信システム100は拡張コンポーネントキャリア(eCC)を利用し得る。eCCは、より広いキャリアもしくは周波数チャネル帯域幅、より短いシンボル時間長、より短いTTI時間長、または修正された制御チャネル構成を含む、1つまたは複数の特徴によって特徴付けられ得る。いくつかの場合、eCCは、(たとえば、複数のサービングセルが準最適または理想的でないバックホールリンクを有するとき)キャリアアグリゲーション構成またはデュアル接続性構成と関連付けられ得る。eCCはまた、(2つ以上の事業者が、スペクトルを使用することを許可された場合)免許不要スペクトルまたは共有スペクトルにおいて使用するために構成され得る。広いキャリア帯域幅によって特徴付けられるeCCは、全キャリア帯域幅を監視することが可能でないか、または(たとえば、電力を節約するために)限られたキャリア帯域幅を使用するように別様に構成される、UE115によって利用され得る1つまたは複数のセグメントを含み得る。
【００６５】
いくつかの場合、eCCは、他のCCとは異なるシンボル時間長を利用することがあり、このことは、他のCCのシンボル時間長と比較して短縮されたシンボル時間長の使用を含むことがある。より短いシンボル時間長は、隣接するサブキャリア間の間隔の増大と関連付けられ得る。eCCを利用するUE115または基地局105などのデバイスは、短縮されたシンボル時間長(たとえば、16.67マイクロ秒)で、広帯域信号(たとえば、20、40、60、80MHzなどの周波数チャネルまたはキャリア帯域幅に従った)を送信し得る。eCC中のTTIは、1つまたは複数のシンボル期間からなり得る。いくつかの場合、TTI時間長(すなわち、TTI中のシンボル期間の数)は可変であり得る。
【００６６】
NRシステムなどのワイヤレス通信システムは、とりわけ、免許スペクトル帯域、共有スペクトル帯域、および免許不要スペクトル帯域の任意の組合せを利用し得る。eCCシンボル時間長およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有によって、NR共有スペクトルは、スペクトル利用率およびスペクトル効率を高め得る。
【００６７】
基地局105は、UE115に、TTI内のデータ通信のためのリソースグラントを送信し得る。基地局105は、基準信号がデータ通信とともに通信されるべきであるTTIの中の複数のシンボル場所を選択し得る。基地局105は、基準信号が通信されるべきであるTTIの中の複数のシンボル場所をUEが特定することを可能にするために、リソースグラントと関連付けられる制御信号構成および終了シンボルインデックスの指示を送信し得る。
【００６８】
UE115は、TTI内のデータ通信のためのリソースグラントを基地局105から受信し得る。UE115は、基地局105から、リソースグラントと関連付けられる制御信号構成および終了シンボルインデックスの指示を受信し得る。UE115は、受信された指示に少なくとも一部基づいて、基準信号がデータ通信とともに通信されるべきであるTTIの中の複数のシンボル場所を特定し得る。
【００６９】
図2A〜図2Fは、本開示の様々な態様による、基準信号パターンの決定をサポートするスロット構成200の例を示す。いくつかの例では、スロット構成200は、ワイヤレス通信システム100の態様を実装し得る。スロット構成200の態様は、本明細書で説明された対応するデバイスの例であり得る、UEおよび/または基地局によって実装され得る。
【００７０】
一般に、スロット構成200は、本開示の態様に従って利用され得るTTIの一例を示す。例示的なスロット構成200では、TTIはスロットを指し得る。各スロット構成200は複数のシンボル(垂直軸に沿って示される)を含むことがあり、14個のシンボル(0〜13と標識される)が単なる例として示されている。各スロット構成200は複数のチャネル(水平軸に沿って示される)を含むことがあり、12個のチャネル(0〜11と標識される)が単なる例として示されている。TTIはスロットに限定されず、代わりにミニスロット、サブフレーム、フレームなどを含み得ることが理解されるべきである。その上、TTIがスロットであるとき、スロットはスロット構成200とはシンボルおよび/またはチャネルに関して異なり得ることも理解されたい。
【００７１】
各スロット構成200は、複数の制御リソース205を含む制御領域を含み得る。いくつかの態様では、制御領域は、基地局からUEにシグナリングされる制御シグナリング構成によって定義され得る。いくつかの例では、制御領域は、スロット構成200の最初の1つ、2つ、または3つのシンボルを含む。
【００７２】
各スロット構成200は、スロット構成200の中の複数のシンボル場所において基準信号(「RS」と示される)210が通信されることを含み得る。基準信号210への言及は、DMRS、CSI-RS、PSS、SSS、PRACH信号などの任意の非データ信号に言及し得ることを理解されたい。いくつかの例では、制御領域の直後のシンボル場所は基準信号210を含むことがあり、たとえば、基準信号210は前方にロードされることがあり、これは固定されていることがあるか、または別様にすべてのデバイスにより知られていることがある。すなわち、制御領域の後の最初のシンボル場所において送信される基準信号210は、事前に構成されるので、すべての通信デバイスによって知られ得る。しかしながら、TTIにおいて通信されている他の基準信号210のシンボル場所は、前もって知られていないことがあるので、本開示の態様に従ってシグナリングされることがある。
【００７３】
各スロット構成200は、複数のデータ信号215を含むデータチャネルを含み得る。データチャネルのサイズ(たとえば、データ通信のために使用されているシンボル場所の数)は、柔軟であることがあり、基準信号210を通信するために使用されるシンボル場所を含むことがある。各スロット構成200はまた、1つまたは複数の未使用のシンボル220を含むことがあり、これは、データ信号または基準信号の通信を含まない。
【００７４】
一般に、基地局は、データ通信、たとえばアップリンク通信またはダウンリンク通信のために使用すべき、UEに対するリソースグラントを選択し、または別様に特定し得る。リソースグラントは、データ信号215を通信するために使用されているスロット構成200のリソースを含むことがあり、データ信号215は、基準信号210を通信するために使用されている複数のシンボル場所も含むことがある。基地局は、たとえば、物理ダウンリンク制御チャネル(PDCCH)信号などの制御領域の制御信号において、リソースグラントをUEに送信し得る。基地局はまた、リソースグラントと関連付けられる制御信号構成および終了シンボルインデックスの指示を送信し得る。基地局は、リソースグラントにおいて、または他のシグナリングにおいて、制御信号構成および終了シンボルインデックスの指示を送信し得る。たとえば、いくつかの態様では、この指示は、たとえばRRCシグナリングなどの、より高次のレイヤのシグナリングにおいても送信され得る。
【００７５】
いくつかの態様では、制御信号構成は、制御領域において制御リソース205を送信するために使用されているシンボル場所の数の指示、たとえば1つ、2つ、3つ、または何らかの他の数のシンボル場所を提供し得る。いくつかの態様では、終了シンボルインデックスは、リソースグラントの中の最後のシンボル場所のインデックス、たとえば、データ信号215および/または基準信号210の通信のために割り当てられる最後のシンボル場所を示し得る。UEは、データ信号215とともに基準信号210を送信するために使用される、TTIの中の複数のシンボル場所を特定するために、基地局から受信される指示を使用し得る。
【００７６】
いくつかの態様では、スロット構成200は、基準信号構成のセットを形成することがあり、たとえば、利用可能な基準信号構成のセットをなすことがある。基準信号構成のセットは、すべての通信デバイスにより知られていることがあり、たとえば、事前に構成されることがあり、かつ/または接続確立手順の間にシグナリングされることがある。したがって、いくつかの態様では、終了シンボルインデックスに関する基地局からの指示は、基準信号構成のセットからの少なくとも1つの基準信号構成と関連付けられるビットまたはフラグであり得る。いくつかの態様では、UEはまた、基準信号210を通信するために使用されている複数のシンボル場所を特定するために、制御信号構成を使用し得る。
【００７７】
図2Aのスロット構成200-aを参照すると、終了シンボルインデックスは、リソースグラントにおいて割り振られる最後のシンボル場所が8であることを示すことがあり、シンボル場所8が通信に利用可能な最後のシンボル場所に対応することを意味する。その上、制御信号指示は、制御リソース205を通信するために使用されているシンボル場所の数を特定し得る。スロット構成225において、制御信号構成は、制御リソース205を通信するために3つのシンボル場所が使用されていることを示し得る。スロット構成230において、制御信号構成は、制御リソース205を通信するために2つのシンボル場所が使用されていることを示し得る。UEは、この情報を使用し、利用可能な基準信号構成のセットの一覧にアクセスし、基準信号210を通信するために使用されている複数のシンボル場所を特定し得る。たとえば、UEは、制御信号構成および終了シンボルインデックスに基づいて、基準信号210がシンボル場所3および7において送信され(スロット構成225について)、シンボル場所2および7において送信されている(スロット構成230について)ことを知っていることがある。すなわち、UEは、3つのシンボル場所を伴う制御信号構成に対して、および8という終了シンボルインデックスに対して、スロット構成225に示されるように、シンボル場所3および7において基準信号210が送信されていることを基準信号構成が示すことを、知っていることがある。さらに、UEは、2つのシンボル場所を伴う制御信号構成に対して、および8という終了シンボルインデックスに対して、スロット構成230に示されるように、シンボル場所2および7において基準信号210が送信されていること基準信号構成が示すことを、知っていることがある。
【００７８】
図2Bのスロット構成200-bを参照すると、終了シンボルインデックスは、リソースグラントにおいて割り振られる最後のシンボル場所が9であることを示すことがあり、シンボル場所9が通信に利用可能な最後のシンボル場所に対応することを意味する。その上、制御信号指示は、制御リソース205を通信するために使用されているシンボル場所の数を特定し得る。スロット構成235において、制御信号構成は、制御リソース205を通信するために3つのシンボル場所が使用されていることを示し得る。スロット構成240において、制御信号構成は、制御リソース205を通信するために2つのシンボル場所が使用されていることを示し得る。UEは、この情報を使用し、利用可能な基準信号構成のセットの一覧にアクセスし、基準信号210を通信するために使用されている複数のシンボル場所を特定し得る。たとえば、UEは、制御信号構成および終了シンボルインデックスに基づいて、基準信号210がシンボル場所3および9において送信され(スロット構成235について)、シンボル場所2および9において送信される(スロット構成240について)ことを知っていることがある。すなわち、UEは、3つのシンボル場所を伴う制御信号構成に対して、および9という終了シンボルインデックスに対して、スロット構成235に示されるように、シンボル場所3および9において基準信号210が送信されていることを基準信号構成が示すことを、知っていることがある。さらに、UEは、2つのシンボル場所を伴う制御信号構成に対して、および9という終了シンボルインデックスに対して、スロット構成240に示されるように、シンボル場所2および9において基準信号210が送信されていることを基準信号構成が示すことを、知っていることがある。
【００７９】
図2Cのスロット構成200-cを参照すると、終了シンボルインデックスは、リソースグラントにおいて割り振られる最後のシンボル場所が10であることを示すことがあり、シンボル場所10が通信に利用可能な最後のシンボル場所に対応することを意味する。その上、制御信号指示は、制御リソース205を通信するために使用されているシンボル場所の数を特定し得る。スロット構成245において、制御信号構成は、制御リソース205を通信するために3つのシンボル場所が使用されていることを示し得る。スロット構成250において、制御信号構成は、制御リソース205を通信するために2つのシンボル場所が使用されていることを示し得る。UEは、この情報を使用し、利用可能な基準信号構成のセットの一覧にアクセスし、基準信号210を通信するために使用されている複数のシンボル場所を特定し得る。たとえば、UEは、制御信号構成および終了シンボルインデックスに基づいて、基準信号210がシンボル場所3および9において送信され(スロット構成245について)、シンボル場所2および9において送信される(スロット構成250について)ことを知っていることがある。すなわち、UEは、3つのシンボル場所を伴う制御信号構成に対して、および10という終了シンボルインデックスに対して、スロット構成245に示されるように、シンボル場所3および9において基準信号210が送信されていることを基準信号構成が示すことを、知っていることがある。さらに、UEは、2つのシンボル場所を伴う制御信号構成に対して、および10という終了シンボルインデックスに対して、スロット構成250に示されるように、シンボル場所2および9において基準信号210が送信されていることを基準信号構成が示すことを、知っていることがある。
【００８０】
図2Dのスロット構成200-dを参照すると、終了シンボルインデックスは、リソースグラントにおいて割り振られる最後のシンボル場所が11であることを示すことがあり、シンボル場所11が通信に利用可能な最後のシンボル場所に対応することを意味する。その上、制御信号指示は、制御リソース205を通信するために使用されているシンボル場所の数を特定し得る。スロット構成255において、制御信号構成は、制御リソース205を通信するために3つのシンボル場所が使用されていることを示し得る。スロット構成260において、制御信号構成は、制御リソース205を通信するために2つのシンボル場所が使用されていることを示し得る。UEは、この情報を使用し、利用可能な基準信号構成のセットの一覧にアクセスし、基準信号210を通信するために使用されている複数のシンボル場所を特定し得る。たとえば、UEは、制御信号構成および終了シンボルインデックスに基づいて、基準信号210がシンボル場所3および9において送信され(スロット構成255について)、シンボル場所2および9において送信される(スロット構成260について)ことを知っていることがある。すなわち、UEは、3つのシンボル場所を伴う制御信号構成に対して、および11という終了シンボルインデックスに対して、スロット構成255に示されるように、シンボル場所3および9において基準信号210が送信されていることを基準信号構成が示すことを、知っていることがある。さらに、UEは、2つのシンボル場所を伴う制御信号構成に対して、および11という終了シンボルインデックスに対して、スロット構成260に示されるように、シンボル場所2および9において基準信号210が送信されていることを基準信号構成が示すことを、知っていることがある。
【００８１】
図2Eのスロット構成200-eを参照すると、終了シンボルインデックスは、リソースグラントにおいて割り振られる最後のシンボル場所が12であることを示すことがあり、シンボル場所12が通信に利用可能な最後のシンボル場所に対応することを意味する。その上、制御信号指示は、制御リソース205を通信するために使用されているシンボル場所の数を特定し得る。スロット構成265において、制御信号構成は、制御リソース205を通信するために3つのシンボル場所が使用されていることを示し得る。スロット構成270において、制御信号構成は、制御リソース205を通信するために2つのシンボル場所が使用されていることを示し得る。UEは、この情報を使用し、利用可能な基準信号構成のセットの一覧にアクセスし、基準信号210を通信するために使用されている複数のシンボル場所を特定し得る。たとえば、UEは、制御信号構成および終了シンボルインデックスに基づいて、基準信号210がシンボル場所3および11において送信され(スロット構成265について)、シンボル場所2および11において送信される(スロット構成270について)ことを知っていることがある。すなわち、UEは、3つのシンボル場所を伴う制御信号構成に対して、および12という終了シンボルインデックスに対して、スロット構成265に示されるように、シンボル場所3および11において基準信号210が送信されていることを基準信号構成が示すことを、知っていることがある。さらに、UEは、2つのシンボル場所を伴う制御信号構成に対して、および12という終了シンボルインデックスに対して、スロット構成270に示されるように、シンボル場所2および11において基準信号210が送信されていることを基準信号構成が示すことを、知っていることがある。
【００８２】
図2Fのスロット構成200-fを参照すると、終了シンボルインデックスは、リソースグラントにおいて割り振られる最後のシンボル場所が13であることを示すことがあり、シンボル場所13が通信に利用可能な最後のシンボル場所に対応することを意味する。その上、制御信号指示は、制御リソース205を通信するために使用されているシンボル場所の数を特定し得る。スロット構成275において、制御信号構成は、制御リソース205を通信するために3つのシンボル場所が使用されていることを示し得る。スロット構成280において、制御信号構成は、制御リソース205を通信するために2つのシンボル場所が使用されていることを示し得る。UEは、この情報を使用し、利用可能な基準信号構成のセットの一覧にアクセスし、基準信号210を通信するために使用されている複数のシンボル場所を特定し得る。たとえば、UEは、制御信号構成および終了シンボルインデックスに基づいて、基準信号210がシンボル場所3および11において送信され(スロット構成275について)、シンボル場所2および11において送信される(スロット構成280について)ことを知っていることがある。すなわち、UEは、3つのシンボル場所を伴う制御信号構成に対して、および13という終了シンボルインデックスに対して、スロット構成275に示されるように、シンボル場所3および11において基準信号210が送信されていることを基準信号構成が示すことを、知っていることがある。さらに、UEは、2つのシンボル場所を伴う制御信号構成に対して、および13という終了シンボルインデックスに対して、スロット構成280に示されるように、シンボル場所2および11において基準信号210が送信されていることを基準信号構成が示すことを、知っていることがある。
【００８３】
いくつかの態様では、最後の基準信号210に対応するシンボル場所は、データ信号215と多重化されることがあるか、または、基準信号210を通信するために単独で使用されることがある。すなわち、スロット構成235に対して、シンボル場所9は、(図2Bに示されるように)基準信号210を通信するために使用されることがあるか、または、データ信号215と多重化されることがある。たとえば、UEは、任意のリソース要素がシンボル場所において利用可能であるかどうかを決定し、利用可能である場合、シンボル場所において基準信号210とデータ信号215を周波数分割多重化し得る。データ信号215がシンボル場所の中の基準信号210と周波数分割多重化される場合、データ信号215は、基準信号210または他の送信に対してレートマッチングされ得る。
【００８４】
図3Aおよび図3Bは、本開示の様々な態様による、基準信号パターンの決定をサポートするスロット構成300の例を示す。いくつかの例では、スロット構成300は、ワイヤレス通信システム100および/またはスロット構成200の態様を実装し得る。スロット構成300の態様は、本明細書で説明された対応するデバイスの例であり得る、UEおよび/または基地局によって実装され得る。
【００８５】
一般に、スロット構成300は、本開示の態様に従って利用され得るTTIの例を示す。例示的なスロット構成300では、TTIはスロットを指し得る。各スロット構成300は複数のシンボル(垂直軸に沿って示される)を含むことがあり、14個のシンボル(0〜13と標識される)が単なる例として示されている。各スロット構成300は複数のチャネル(水平軸に沿って示される)を含むことがあり、12個のチャネル(0〜11と標識される)が単なる例として示されている。TTIはスロットに限定されず、代わりにミニスロット、サブフレーム、フレームなどを含み得ることが理解されるべきである。その上、TTIがスロットであるとき、スロットはスロット構成300とはシンボルおよび/またはチャネルに関して異なり得ることも理解されたい。
【００８６】
各スロット構成300は、複数の制御リソース305を含む制御領域を含み得る。いくつかの態様では、制御領域は、基地局からUEにシグナリングされる制御シグナリング構成によって定義され得る。いくつかの例では、制御領域は、スロット構成300の最初の1つ、2つ、または3つのシンボル場所を含む。
【００８７】
各スロット構成300は、スロット構成300の中の複数のシンボル場所において通信されている基準信号310を含み得る。基準信号310への言及は、DMRS、CSI-RS、PSS、SSS、PRACH信号などの任意の非データ信号に言及し得ることを理解されたい。いくつかの例では、制御領域の直後のシンボル場所は基準信号310を含むことがあり、たとえば、基準信号310は前方にロードされることがあり、これは固定されていることがあるか、または別様にすべてのデバイスにより知られていることがある。すなわち、制御領域の後の最初のシンボル場所において送信される基準信号310は、事前に構成されるので、すべての通信デバイスによって知られ得る。しかしながら、TTIにおいて通信されている他の基準信号310のシンボル場所は、前もって知られていないことがあるので、本開示の態様に従ってシグナリングされることがある。
【００８８】
各スロット構成300は、複数のデータ信号315を含むデータチャネルを含み得る。データチャネルのサイズ(たとえば、データ通信のために使用されているシンボル場所の数)は、柔軟であることがあり、基準信号310を通信するために使用されるシンボル場所を含むことがある。各スロット構成300はまた、1つまたは複数の未使用のシンボル320を含むことがあり、これは、データ信号または基準信号の通信を含まない。
【００８９】
一般に、基地局は、データ通信、たとえばアップリンク通信もしくはダウンリンク通信のために使用すべき、UEに対するリソースグラントを選択し、または別様に特定し得る。リソースグラントは、データ信号315を通信するために使用されているスロット構成300のリソースを含むことがあり、データ信号315は、基準信号310を通信するために使用されている複数のシンボル場所も含むことがある。基地局は、たとえば、PDCCH信号などの制御領域の制御信号において、リソースグラントをUEに送信し得る。基地局はまた、リソースグラントと関連付けられる制御信号構成および終了シンボルインデックスの指示を送信し得る。基地局は、リソースグラントにおいて、または他のシグナリングにおいて、制御信号構成および終了シンボルインデックスの指示を送信し得る。たとえば、いくつかの態様では、この指示は、たとえばRRCシグナリングなどの、より高次のレイヤのシグナリングにおいても送信され得る。
【００９０】
いくつかの態様では、制御信号構成は、制御領域において制御リソース305を送信するために使用されているシンボル場所の数の指示、たとえば1つ、2つ、3つ、または何らかの他の数のシンボル場所を提供し得る。いくつかの態様では、終了シンボルインデックスは、データ信号315を通信するために使用されているTTIの中の最後のデータシンボルの場所を示し得る。UEは、データ信号315とともに基準信号310を送信するために使用される、TTIの中の複数のシンボル場所を特定するために、基地局から受信される指示を使用し得る。
【００９１】
いくつかの態様では、基地局はまた、終了シンボルインデックスに対する相対的な最後のシンボル場所の指示を提供する追加の指示を送信し得る。たとえば、終了シンボルインデックスは、(たとえば、リソースグラントに基づいて)ある特定のシンボル場所が通信に利用可能な最後のシンボル場所であることを示すことがあり、最後のシンボル場所は、基準信号310を通信するために使用され得る終了シンボル場所に対する相対的なあるシンボル場所を示すことがある。いくつかの態様では、追加の指示は、基準信号310が終了シンボルインデックスの前に通信されるべきか、もしくは後に通信されるべきか、ならびに/または、基準信号310およびデータ信号315が任意のシンボル場所において多重化されるべきかどうかを示し得る。いくつかの態様では、追加の指示は、最後の基準信号310が終了シンボルインデックスの左(たとえば、前)に位置するか、または右(たとえば、後)に位置するかを示すために、DCI信号のビットフィールドにおいて受信され得る。いくつかの態様では、追加の指示は、最後の基準信号310が終了シンボルインデックスの左(たとえば、前)に位置するか、または右(たとえば、後)に位置するかを示すために、より高次のレイヤの構成信号のフィールドまたはパラメータにおいて受信され得る。
【００９２】
したがって、いくつかの態様では、通信デバイスは、利用可能な基準信号構成のセットを用いて事前に構成されないことがあり、代わりに、UEは、追加の指示とともに基地局からの初期の指示に基づいて、基準信号310を通信するために使用されている複数のシンボル場所を決定し得る。すなわち、終了シンボルインデックスは、実際のデータ信号315が通信される最後のシンボル場所を参照することがあり、追加の指示は、最終基準信号310が終了シンボルインデックスの直前のシンボル場所で通信されるか、もしくは直後のシンボル場所で通信されるか、および/または、データ信号315が基準信号310と多重化されるかどうかの指示を提供することがある。
【００９３】
図3Aのスロット構成300-aを参照すると、スロット構成325において、終了シンボルインデックスは、リソースグラントにおいて割り振られる最後のシンボル場所が9であることを示すことがあり、シンボル場所9がデータ信号315の通信に利用可能な最後のシンボル場所に対応することを意味する。スロット構成325において、制御信号構成は、制御リソース305を通信するために2つのシンボル場所が使用されていることを示し得る。基地局から受信される追加の指示は、基準信号310がシンボル場所9においてデータ信号315と多重化されることを示し得る。
【００９４】
スロット構成330において、終了シンボルインデックスは、リソースグラントにおいて割り振られる最後のシンボル場所が8であることを示すことがあり、シンボル場所8がデータ信号315の通信に利用可能な最後のシンボル場所に対応することを意味する。スロット構成330において、制御信号構成は、制御リソース305を通信するために2つのシンボル場所が使用されていることを示し得る。基地局から受信される追加の指示は、基準信号310が終了シンボルインデックスの直後のシンボル場所、すなわちシンボル場所9において通信されることを示し得る。基地局から受信される追加の指示は、データ信号315および基準信号310が終了シンボルインデックスにおいて多重化されないことを示し得る。
【００９５】
図3Bのスロット構成300-bを参照すると、スロット構成335において、終了シンボルインデックスは、リソースグラントにおいて割り振られる最後のシンボル場所が12であることを示すことがあり、シンボル場所12がデータ信号315の通信に利用可能な最後のシンボル場所に対応することを意味する。スロット構成335において、制御信号構成は、制御リソース305を通信するために2つのシンボル場所が使用されていることを示し得る。基地局から受信される追加の指示は、基準信号310が終了シンボルインデックスの直前のシンボル場所、すなわちシンボル場所11において通信されることを示し得る。基地局から受信される追加の指示は、データ信号315および基準信号310が終了シンボルインデックスにおいて多重化されないことを示し得る。
【００９６】
スロット構成340において、終了シンボルインデックスは、リソースグラントにおいて割り振られる最後のシンボル場所が11であることを示すことがあり、シンボル場所11がデータ信号315の通信に利用可能な最後のシンボル場所に対応することを意味する。スロット構成340において、制御信号構成は、制御リソース305を通信するために3つのシンボル場所が使用されていることを示し得る。基地局から受信される追加の指示は、基準信号310が終了シンボルインデックスと同じシンボル場所、すなわちシンボル場所11において通信されることを示し得る。基地局から受信される追加の指示は、データ信号315および基準信号310が終了シンボルインデックスにおいて多重化されることを示し得る。加えて、基地局から受信される追加の指示は、データ信号315および基準信号310が前方にロードされたシンボル場所、すなわち、制御領域の直後のシンボル場所3において多重化されることも示し得る。その上、基地局から受信される追加の指示は、追加のシンボル場所が、終了シンボルインデックスの直後のシンボル場所、すなわちシンボル場所12において基準信号310(たとえば、CSI-RS)を通信するために使用されていることも示し得る。
【００９７】
スロット構成345において、終了シンボルインデックスは、リソースグラントにおいて割り振られる最後のシンボル場所が10であることを示すことがあり、シンボル場所10がデータ信号315の通信に利用可能な最後のシンボル場所に対応することを意味する。スロット構成345において、制御信号構成は、制御リソース305を通信するために3つのシンボル場所が使用されていることを示し得る。基地局から受信される追加の指示は、基準信号310が終了シンボルインデックスの直後のシンボル場所、すなわちシンボル場所11において通信されることを示し得る。基地局から受信される追加の指示は、データ信号315および基準信号310が終了シンボルインデックスにおいて多重化されないことを示し得る。加えて、基地局から受信される追加の指示は、追加のシンボル場所が、終了シンボルインデックスの直後のシンボル場所、すなわちシンボル場所12において基準信号310(たとえば、CSI-RS)を通信するために使用されていることも示し得る。
【００９８】
図4は、本開示の様々な態様による、基準信号パターンの決定をサポートするスロット構成400の例を示す。いくつかの例では、スロット構成400は、ワイヤレス通信システム100および/またはスロット構成200/300の態様を実装し得る。スロット構成400の態様は、本明細書で説明された対応するデバイスの例であり得る、UEおよび/または基地局によって実装され得る。
【００９９】
一般に、スロット構成400は、本開示の態様に従って利用され得るTTIの例を示す。例示的なスロット構成400では、TTIはスロットを指し得る。各スロット構成400は複数のシンボル(垂直軸に沿って示される)を含むことがあり、14個のシンボル(0〜13と標識される)が単なる例として示されている。各スロット構成400は複数のチャネル(水平軸に沿って示される)を含むことがあり、12個のチャネル(0〜11と標識される)が単なる例として示されている。TTIはスロットに限定されず、代わりにミニスロット、サブフレーム、フレームなどを含み得ることが理解されるべきである。その上、TTIがスロットであるとき、スロットはスロット構成400とはシンボルおよび/またはチャネルに関して異なり得ることも理解されたい。
【０１００】
各スロット構成400は、複数の制御信号405を含む制御領域を含み得る。いくつかの態様では、制御領域は、基地局からUEにシグナリングされる制御シグナリング構成によって定義され得る。いくつかの例では、制御領域は、スロット構成400の最初の1つ、2つ、または3つのシンボル場所を含む。
【０１０１】
各スロット構成400は、スロット構成400の中の複数のシンボル場所において通信されている基準信号410を含み得る。基準信号410への言及は、DMRS、CSI-RS、PSS、SSS、PRACH信号などの任意の非データ信号に言及し得ることを理解されたい。いくつかの例では、制御領域の直後のシンボル場所は基準信号410を含むことがあり、たとえば、基準信号410は前方にロードされることがあり、これは固定されていることがあるか、または別様にすべてのデバイスにより知られていることがある。しかしながら、TTIにおいて通信されている他の基準信号410のシンボル場所は、前もって知られていないことがあるので、本開示の態様に従ってシグナリングされることがある。
【０１０２】
各スロット構成400は、複数のデータ信号415を含むデータチャネルを含み得る。データチャネルのサイズ(たとえば、データ通信のために使用されているシンボル場所の数)は、柔軟であることがあり、基準信号410を通信するために使用されるシンボル場所を含むことがある。各スロット構成400はまた、1つまたは複数の未使用のシンボル420を含むことがあり、これは、データ信号または基準信号の通信を含まない。
【０１０３】
一般に、基地局は、データ通信、たとえばアップリンク通信またはダウンリンク通信のために使用すべき、UEに対するリソースグラントを選択するか、または別様に特定し得る。リソースグラントは、データ信号415を通信するために使用されているスロット構成400のリソースを含むことがあり、データ信号415は、基準信号410を通信するために使用されている複数のシンボル場所も含むことがある。基地局は、たとえば、PDCCH信号などの制御領域の制御信号405において、リソースグラントをUEに送信し得る。基地局はまた、リソースグラントと関連付けられる制御信号構成および終了シンボルインデックスの指示を送信し得る。基地局は、リソースグラントにおいて、または他のシグナリングにおいて、制御信号構成および終了シンボルインデックスの指示を送信し得る。たとえば、いくつかの態様では、この指示は、たとえばRRCシグナリングなどの、より高次のレイヤのシグナリングにおいても送信され得る。
【０１０４】
いくつかの態様では、制御信号構成は、制御領域において制御信号405を送信するために使用されているシンボル場所の数の指示、たとえば1つ、2つ、3つ、または何らかの他の数のシンボル場所を提供し得る。いくつかの態様では、終了シンボルインデックスは、データ信号415を通信するために使用されているTTIの中の最後のデータシンボルの場所を示し得る。UEは、データ信号415とともに基準信号410を送信するために使用される、TTIの中の複数のシンボル場所を特定するために、基地局から受信される指示を使用し得る。
【０１０５】
いくつかの態様では、基地局はまた、終了シンボルインデックスに対する相対的な最後のシンボル場所の指示を提供する追加の指示を送信し得る。たとえば、終了シンボルインデックスは、(たとえば、リソースグラントに基づいて)ある特定のシンボル場所が通信に利用可能な最後のシンボル場所であることを示すことがあり、最後のシンボル場所は、基準信号410を通信するために使用され得る終了シンボル場所に対する相対的なあるシンボル場所を示すことがある。たとえば、スロット構成425および430を参照すると、両方のスロット構成に対する終了シンボルインデックスは8であることがあり、シンボル場所8が通信に利用可能な最後のシンボル場所であることを意味する。しかしながら、基準信号410は、終了シンボルインデックスの前に(スロット構成425において示されるように)、または後に(スロット構成430において示されるように)送信され得る。したがって、他の事前に構成されたまたはシグナリングされた情報を伴わずに、終了シンボルインデックスを単に基地局が通信することは、最終基準信号410がTTIにおいて通信され得るかどうかについて、混乱をもたらし得る。
【０１０６】
したがって、基準信号410が終了シンボルインデックスの前に通信されるべきか、または後に通信されるべきかを、追加の指示が示し得る。いくつかの態様では、追加の指示は、最後の基準信号410が終了シンボルインデックスの左(たとえば、前)に位置するか、または右(たとえば、後)に位置するかを示すために、DCI信号のビットまたはフィールドにおいて受信され得る。いくつかの態様では、追加の指示は、最後の基準信号410が終了シンボルインデックスの左(たとえば、前)に位置するか、または右(たとえば、後)に位置するかを示すために、より高次のレイヤの構成信号のフィールドまたはパラメータにおいて受信され得る。スロット構成425において、追加のシグナリングは、最後の基準信号410が終了シンボルインデックスの前のシンボル場所、たとえばシンボル場所7において通信されることを示し得る。スロット構成430において、追加のシグナリングは、最後の基準信号410が終了シンボルインデックスの後のシンボル場所、たとえばシンボル場所9において通信されることを示し得る。
【０１０７】
図5は、本開示の様々な態様による、基準信号パターンの決定をサポートするスロット構成500の例を示す。いくつかの例では、スロット構成500は、ワイヤレス通信システム100および/またはスロット構成200/300/400の態様を実装し得る。スロット構成500の態様は、本明細書で説明された対応するデバイスの例であり得る、UEおよび/または基地局によって実装され得る。
【０１０８】
一般に、スロット構成500は、本開示の態様に従って利用され得るTTIの例を示す。例示的なスロット構成500では、TTIはスロットを指し得る。各スロット構成500は複数のシンボル(垂直軸に沿って示される)を含むことがあり、14個のシンボル(0〜13と標識される)が単なる例として示されている。各スロット構成500は複数のチャネル(水平軸に沿って示される)を含むことがあり、12個のチャネル(0〜11と標識される)が単なる例として示されている。TTIはスロットに限定されず、代わりにミニスロット、サブフレーム、フレームなどを含み得ることが理解されるべきである。その上、TTIがスロットであるとき、スロットはスロット構成500とはシンボルおよび/またはチャネルに関して異なり得ることも理解されたい。
【０１０９】
各スロット構成500は、複数の制御信号505を含む制御領域を含み得る。いくつかの態様では、制御領域は、基地局からUEにシグナリングされる制御シグナリング構成によって定義され得る。いくつかの例では、制御領域は、スロット構成500の最初の1つ、2つ、または3つのシンボル場所を含む。
【０１１０】
各スロット構成500は、スロット構成500の中の複数のシンボル場所において通信されている基準信号510を含み得る。基準信号510への言及は、DMRS、CSI-RS、PSS、SSS、PRACH信号などの任意の非データ信号に言及し得ることを理解されたい。いくつかの例では、制御領域の直後のシンボル場所は基準信号510を含むことがあり、たとえば、基準信号510は前方にロードされることがあり、これは固定されていることがあるか、または別様にすべてのデバイスにより知られていることがある。しかしながら、TTIにおいて通信されている他の基準信号510のシンボル場所は、前もって知られていないことがあるので、本開示の態様に従ってシグナリングされることがある。
【０１１１】
各スロット構成500は、複数のデータ信号515を含むデータチャネルを含み得る。データチャネルのサイズ(たとえば、データ通信のために使用されているシンボル場所の数)は、柔軟であることがあり、基準信号510を通信するために使用されるシンボル場所を含むことがある。各スロット構成500はまた、1つまたは複数の未使用のシンボル520を含むことがあり、これは、データ信号または基準信号の通信を含まない。
【０１１２】
一般に、基地局は、データ通信、たとえばアップリンク通信またはダウンリンク通信のために使用すべき、UEに対するリソースグラントを選択するか、または別様に特定し得る。リソースグラントは、データ信号515を通信するために使用されているスロット構成500のリソースを含むことがあり、データ信号515は、基準信号510を通信するために使用されている複数のシンボル場所も含むことがある。基地局は、たとえば、PDCCH信号などの制御領域の制御信号505において、リソースグラントをUEに送信し得る。基地局はまた、リソースグラントと関連付けられる制御信号構成および終了シンボルインデックスの指示を送信し得る。基地局は、リソースグラントにおいて、または他のシグナリングにおいて、制御信号構成および終了シンボルインデックスの指示を送信し得る。たとえば、いくつかの態様では、この指示は、たとえばRRCシグナリングなどの、より高次のレイヤのシグナリングにおいても送信され得る。
【０１１３】
いくつかの態様では、制御信号構成は、制御領域において制御信号505を送信するために使用されているシンボル場所の数の指示、たとえば1つ、2つ、3つ、または何らかの他の数のシンボル場所を提供し得る。いくつかの態様では、終了シンボルインデックスは、データ信号515を通信するために使用されているTTIの中の最後のデータシンボルの場所を示し得る。UEは、データ信号515とともに基準信号510を送信するために使用される、TTIの中の複数のシンボル場所を特定するために、基地局から受信される指示を使用し得る。
【０１１４】
一般に、TTIにおいて基準信号510を通信するための構成は階層的であり得る。たとえば、TTIにおいて通信されている基準信号510の総数は、より高次のレイヤの機能(たとえば、RRCシグナリング)によって決定され得る。TTIにおいて通信されている基準信号510の数が与えられると、基準信号510を通信するためのパターン(たとえば、基準信号構成)は、より低次のレイヤ(たとえば、L1/L2またはDCIシグナリング)において決定されシグナリングされ得る。しかしながら、より高次のレイヤによる構成は、比較的長いタイムスケールにわたって(たとえば、準静的な方式で)生じることがあり、一方で基準信号510の構成のパターンはより動的に(たとえば、TTIごとまたはスロットごとに)生じることがある。タイムスケールの差により、基準信号510の構成の柔軟性が制限されることがある。たとえば、最短のデータチャネル時間長または終了シンボルインデックスは、TTIにおいて通信されている基準信号510の数に関し得る。スロット構成525において示されるように、TTIにおいて通信されている基準信号510の数は2であり、終了シンボルインデックスは8である。スロット構成530において示されるように、通信されている基準信号510の数は3であり、終了シンボルインデックスは9である。
【０１１５】
しかしながら、いくつかの事例では、異なるレイヤ間で構成が一貫していないことにより、曖昧さがあり得る。たとえば、L1/L2シグナリング(たとえば、基地局から受信される追加の指示)は、より高次のレイヤのシグナリング(たとえば、基地局から受信される初期の指示)と一貫していないことがある。1つの非限定的な例として、初期構成(たとえば、RRCシグナリング)は、3つの基準信号510が使用されるように構成されること、たとえば3という基準信号510のカウントを示し得る。終了シンボルインデックスは3つの基準信号510については9であり得るが、追加のシグナリング(たとえば、DCIシグナリング)は終了シンボルインデックスが8であることを示し得る。この場合、初期の指示によって示される3より小さい基準信号510の数がUEにより想定され得る。たとえば、UEは、終了シンボルインデックスが9(RRCシグナリングにおける)から8(DCIシグナリングにおける)に変更されるとき、2つの基準信号510を含む基準信号構成を特定し得る。すなわち、(スロット構成530において示されるように)初期の指示がTTIに対して3つの基準信号510および9という終了シンボルインデックスを示し、追加の指示が8という終了シンボルインデックスを示すとき、UEは、(スロット構成525において示されるように)TTIにおいて通信されるべき2つの基準信号510(2という基準信号カウント)を特定し得る。
【０１１６】
図6は、本開示の態様による、基準信号パターンの決定をサポートするワイヤレスデバイス605のブロック図600を示す。ワイヤレスデバイス605は、本明細書で説明されるようなUE115の態様の例であり得る。ワイヤレスデバイス605は、受信機610、UE通信マネージャ615、および送信機620を含み得る。ワイヤレスデバイス605はプロセッサも含み得る。これらの構成要素の各々は、(たとえば、1つまたは複数のバスを介して)互いに通信していることがある。
【０１１７】
受信機610は、パケット、ユーザデータ、または様々な情報チャネル(たとえば、制御チャネル、データチャネル、および基準信号パターンの決定に関する情報など)と関連付けられる制御情報などの情報を受信することができる。情報はデバイスの他の構成要素に受け渡され得る。受信機610は、図9を参照して説明されるトランシーバ935の態様の例であり得る。受信機610は、単一のアンテナまたはアンテナのセットを利用し得る。
【０１１８】
UE通信マネージャ615は、図9を参照して説明されるUE通信マネージャ915の態様の例であり得る。
【０１１９】
UE通信マネージャ615および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ615、および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。UE通信マネージャ615、および/またはその様々な副構成要素のうちの少なくともいくつかは、機能の部分が1つまたは複数の物理デバイスによって異なる物理的位置において実装されるように分散されることを含めて、様々な場所に物理的に配置され得る。いくつかの例では、UE通信マネージャ615、および/またはその様々な副構成要素のうちの少なくともいくつかは、本開示の様々な態様による別個のおよび異なる構成要素であり得る。他の例では、UE通信マネージャ615および/またはその様々な副構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と組み合わされ得る。
【０１２０】
UE通信マネージャ615は、基地局から、TTI内のデータ通信のためのリソースグラントを受信し、基地局から、リソースグラントと関連付けられる制御信号構成および終了シンボルインデックスの指示を受信し、受信された指示に基づいて、基準信号がデータ通信とともに通信されるべきであるTTIの中のシンボル場所のセットを特定し得る。
【０１２１】
送信機620は、デバイスの他の構成要素によって生成された信号を送信することができる。いくつかの例では、送信機620は、トランシーバモジュールにおいて受信機610と一緒に置かれ得る。たとえば、送信機620は、図9を参照して説明されるトランシーバ935の態様の例であり得る。送信機620は、単一のアンテナまたはアンテナのセットを利用し得る。
【０１２２】
図7は、本開示の態様による、基準信号パターンの決定をサポートするワイヤレスデバイス705のブロック図700を示す。ワイヤレスデバイス705は、本明細書で説明されたようなワイヤレスデバイス605またはUE115の態様の例であり得る。ワイヤレスデバイス705は、受信機710、UE通信マネージャ715、および送信機720を含み得る。ワイヤレスデバイス705はプロセッサも含み得る。これらの構成要素の各々は、(たとえば、1つまたは複数のバスを介して)互いに通信していることがある。
【０１２３】
受信機710は、パケット、ユーザデータ、または様々な情報チャネル(たとえば、制御チャネル、データチャネル、および基準信号パターンの決定に関する情報など)と関連付けられる制御情報などの情報を受信することができる。情報はデバイスの他の構成要素に受け渡され得る。受信機710は、図9を参照して説明されるトランシーバ935の態様の例であり得る。受信機710は、単一のアンテナまたはアンテナのセットを利用し得る。
【０１２４】
UE通信マネージャ715は、図9を参照して説明されるUE通信マネージャ915の態様の例であり得る。UE通信マネージャ715はまた、リソースグラントマネージャ725と、指示マネージャ730と、およびシンボル場所マネージャ735とを含み得る。
【０１２５】
リソースグラントマネージャ725は、基地局から、TTI内のデータ通信のためのリソースグラントを受信し得る。
【０１２６】
指示マネージャ730は、基地局から、リソースグラントと関連付けられる制御信号構成および終了シンボルインデックスの指示を受信し得る。
【０１２７】
シンボル場所マネージャ735は、受信された指示に基づいて、基準信号がデータ通信とともに通信されるべきであるTTIの中のシンボル場所のセットを特定し、選択された基準信号構成に基づいてシンボル場所のセットを特定し得る。いくつかの場合、基準信号が通信されるべきであるTTIの中のシンボル場所のセットを特定することは、受信された指示に基づいて、基準信号構成のセットからTTIに対する基準信号構成を選択することを含む。
【０１２８】
送信機720は、デバイスの他の構成要素によって生成された信号を送信することができる。いくつかの例では、送信機720は、トランシーバモジュールにおいて受信機710と一緒に置かれ得る。たとえば、送信機720は、図9を参照して説明されるトランシーバ935の態様の例であり得る。送信機720は、単一のアンテナまたはアンテナのセットを利用し得る。
【０１２９】
図8は、本開示の態様による、基準信号パターンの決定をサポートするUE通信マネージャ815のブロック図800を示す。UE通信マネージャ815は、図6、図7、および図9を参照して説明される、UE通信マネージャ615、UE通信マネージャ715、またはUE通信マネージャ915の態様の例であり得る。UE通信マネージャ815は、リソースグラントマネージャ820、指示マネージャ825、シンボル場所マネージャ830、終了シンボルマネージャ835、RE FDMマネージャ840、およびRSカウント指示マネージャ845を含み得る。これらのモジュールの各々は、(たとえば、1つまたは複数のバスを介して)互いと直接的または間接的に通信し得る。
【０１３０】
リソースグラントマネージャ820は、基地局から、TTI内のデータ通信のためのリソースグラントを受信し得る。
【０１３１】
指示マネージャ825は、基地局から、リソースグラントと関連付けられる制御信号構成および終了シンボルインデックスの指示を受信し得る。
【０１３２】
シンボル場所マネージャ830は、受信された指示に基づいて、基準信号がデータ通信とともに通信されるべきであるTTIの中のシンボル場所のセットを特定し、選択された基準信号構成に基づいてシンボル場所のセットを特定し得る。いくつかの場合、基準信号が通信されるべきであるTTIの中のシンボル場所のセットを特定することは、受信された指示に基づいて、基準信号構成のセットからTTIに対する基準信号構成を選択することを含む。
【０１３３】
各シンボルマネージャ835は、データ通信に使用されるTTIの中の最後のデータシンボルと関連付けられるものとして、終了シンボルインデックスを特定し、追加の指示に基づいて最後のシンボル場所を特定し得る。いくつかの場合、基準信号が通信されるべきであるTTIの中のシンボル場所のセットを特定することはさらに、基地局から、基準信号が通信されるべきであるTTIの中の場所のセットのうちの最後のシンボル場所の追加の指示を受信することを含み、追加の指示は終了シンボルインデックスに対して相対的である。いくつかの場合、追加の指示は、最後のシンボル場所が終了シンボルインデックスの前にあるか、または後にあるかを示す。いくつかの場合、追加の指示は、ダウンリンク制御インジケータ(DCI)の中の少なくとも1ビットを含む。いくつかの場合、追加の指示は、無線リソース制御(RRC)信号の中のフィールドを含む。
【０１３４】
FDMマネージャ840は、シンボル場所のセットのうちの1つもしくは複数の1つまたは複数のリソース要素がデータ通信に利用可能であることを決定し、周波数領域において、シンボル場所のセットのうちの1つまたは複数において通信されるデータ通信および基準信号を多重化し、シンボル場所のセットのうちのどのシンボル場所のリソース要素もデータ通信に利用可能ではないと決定し、この決定に基づいて、シンボル場所のセットのうちのそのシンボル場所において基準信号を通信し得る。
【０１３５】
RSカウント指示マネージャ845は、基地局から、TTIにおいて通信されるべき基準信号の数を示す基準信号カウント指示を受信し、基地局から、基準信号が通信されるべきであるTTIの中の場所のセットのうちの最後のシンボル場所の追加の指示を受信することができ、追加の指示は終了シンボルインデックスに対して相対的であり、TTIにおいて通信されるべき基準信号の数とシンボル場所のセットとの間に矛盾が存在する場合、追加の指示が基準信号カウント指示より優先される。いくつかの場合、基準信号カウント指示はRRC信号において受信され、追加の指示はDCIシグナリングにおいて受信される。
【０１３６】
図9は、本開示の態様による、基準信号パターンの決定をサポートするデバイス905を含むシステム900の図を示す。デバイス905は、本明細書で説明されるようなワイヤレスデバイス605、ワイヤレスデバイス705、もしくはUE115の構成要素の例であり得るか、またはその構成要素を含み得る。デバイス905は、UE通信マネージャ915と、プロセッサ920と、メモリ925と、ソフトウェア930と、トランシーバ935と、アンテナ940と、I/Oコントローラ945とを含む、通信を送信および受信するための構成要素を含む双方向の音声とデータの通信のための構成要素を含み得る。これらの構成要素は、1つまたは複数のバス(たとえば、バス910)を介して電子的に通信していることがある。デバイス905は、1つまたは複数の基地局105とワイヤレスに通信し得る。
【０１３７】
プロセッサ920は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ920は、メモリコントローラを使用して、メモリアレイを動作させるように構成され得る。他の場合、メモリコントローラは、プロセッサ920に統合され得る。プロセッサ920は、様々な機能(たとえば、基準信号パターンの決定をサポートする機能またはタスク)を実行するために、メモリに記憶されたコンピュータ可読命令を実行するように構成され得る。
【０１３８】
メモリ925は、ランダムアクセスメモリ(RAM)と読取り専用メモリ(ROM)とを含み得る。メモリ925は、実行されると、プロセッサに、本明細書で説明される様々な機能を実行させる命令を含む、コンピュータ可読のコンピュータ実行可能ソフトウェア930を記憶し得る。いくつかの場合、メモリ925は、特に、周辺構成要素または周辺デバイスとの相互作用などの、基本的なハードウェア動作またはソフトウェア動作を制御し得る基本入出力システム(BIOS)を含み得る。
【０１３９】
ソフトウェア930は、基準信号パターンの決定をサポートするためのコードを含む、本開示の態様を実装するためのコードを含み得る。ソフトウェア930は、システムメモリまたは他のメモリなどの、非一時的コンピュータ可読媒体に記憶され得る。いくつかの場合、ソフトウェア930は、プロセッサによって直接実行可能ではないことがあるが、(たとえば、コンパイルされ、実行されると)本明細書で説明される機能をコンピュータに実行させることができる。
【０１４０】
トランシーバ935は、上で説明されたような1つまたは複数のアンテナ、有線リンク、またはワイヤレスリンクを介して双方向に通信し得る。たとえば、トランシーバ935は、ワイヤレストランシーバを表すことがあり、別のワイヤレストランシーバと双方向に通信し得る。トランシーバ935はまた、送信のためにパケットを変調し、変調されたパケットをアンテナに提供し、かつアンテナから受信されたパケットを復調するためのモデムを含み得る。
【０１４１】
いくつかの場合、ワイヤレスデバイスは、単一のアンテナ940を含み得る。しかしながら、いくつかの場合、デバイスは、複数のワイヤレス送信を同時に送信または受信することが可能であり得る複数のアンテナ940を有し得る。
【０１４２】
I/Oコントローラ945は、デバイス905のための入力信号および出力信号を管理し得る。I/Oコントローラ945はまた、デバイス905に統合されていない周辺装置を管理し得る。いくつかの場合、I/Oコントローラ945は、外部周辺装置への物理接続またはポートを表し得る。いくつかの場合、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ945は、モデム、キーボード、マウス、タッチスクリーン、もしくは類似のデバイスを表すことがあり、またはそれらと相互作用することがある。いくつかの場合、I/Oコントローラ945は、プロセッサの一部として実装され得る。いくつかの場合、ユーザは、I/Oコントローラ945を介して、またはI/Oコントローラ945によって制御されたハードウェア構成要素を介して、デバイス905と対話することがある。
【０１４３】
図10は、本開示の態様による、基準信号パターンの決定をサポートするワイヤレスデバイス1005のブロック図1000を示す。ワイヤレスデバイス1005は、本明細書で説明されるような基地局105の態様の例であり得る。ワイヤレスデバイス1005は、受信機1010、基地局通信マネージャ1015、および送信機1020を含み得る。ワイヤレスデバイス1005はプロセッサも含み得る。これらの構成要素の各々は、(たとえば、1つまたは複数のバスを介して)互いに通信していることがある。
【０１４４】
受信機1010は、パケット、ユーザデータ、または様々な情報チャネル(たとえば、制御チャネル、データチャネル、および基準信号パターンの決定に関する情報など)と関連付けられる制御情報などの情報を受信することができる。情報はデバイスの他の構成要素に受け渡され得る。受信機1010は、図13を参照して説明されるトランシーバ1335の態様の例であり得る。受信機1010は、単一のアンテナまたはアンテナのセットを利用し得る。
【０１４５】
基地局通信マネージャ1015は、図13を参照して説明される基地局通信マネージャ1315の態様の例であり得る。
【０１４６】
基地局通信マネージャ1015および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ1015および/またはその様々な副構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明される機能を実行するように設計されたそれらの任意の組合せによって実行され得る。基地局通信マネージャ1015および/またはその様々な副構成要素のうちの少なくともいくつかは、機能の一部が1つまたは複数の物理デバイスによって異なる物理的位置において実装されるように分散されることを含めて、様々な場所に物理的に位置し得る。いくつかの例では、基地局通信マネージャ1015および/またはその様々な副構成要素のうちの少なくともいくつかは、本開示の様々な態様による別個の異なる構成要素であり得る。他の例では、基地局通信マネージャ1015および/またはその様々な副構成要素の少なくともいくつかは、限定はされないが、I/O構成要素、トランシーバ、ネットワークサーバ、別のコンピューティングデバイス、本開示で説明された、1つもしくは複数の他の構成要素、または本開示の様々な態様によるそれらの組合せを含む、1つまたは複数の他のハードウェア構成要素と組み合わされ得る。
【０１４７】
基地局通信マネージャ1015は、UEに、TTI内のデータ通信のためのリソースグラントを送信し、基準信号がデータ通信とともに通信されるべきであるTTIの中のシンボル場所のセットを選択し、基準信号が通信されるべきであるTTIの中のシンボル場所のセットをUEが特定することを可能にするために、リソースグラントと関連付けられる制御信号構成および終了シンボルインデックスの指示を送信し得る。
【０１４８】
送信機1020は、デバイスの他の構成要素によって生成された信号を送信することができる。いくつかの例では、送信機1020は、トランシーバモジュールの中の受信機1010と一緒に置かれ得る。たとえば、送信機1020は、図13を参照して説明されるトランシーバ1335の態様の例であり得る。送信機1020は、単一のアンテナまたはアンテナのセットを利用し得る。
【０１４９】
図11は、本開示の態様による、基準信号パターンの決定をサポートするワイヤレスデバイス1105のブロック図1100を示す。ワイヤレスデバイス1105は、本明細書で説明されたようなワイヤレスデバイス1005または基地局105の態様の例であり得る。ワイヤレスデバイス1105は、受信機1110、基地局通信マネージャ1115、および送信機1120を含み得る。ワイヤレスデバイス1105はまた、プロセッサを含み得る。これらの構成要素の各々は、(たとえば、1つまたは複数のバスを介して)互いに通信していることがある。
【０１５０】
受信機1110は、パケット、ユーザデータ、または様々な情報チャネル(たとえば、制御チャネル、データチャネル、および基準信号パターンの決定に関する情報など)と関連付けられる制御情報などの情報を受信することができる。情報はデバイスの他の構成要素に受け渡され得る。受信機1110は、図13を参照して説明されるトランシーバ1335の態様の例であり得る。受信機1110は、単一のアンテナまたはアンテナのセットを利用し得る。
【０１５１】
基地局通信マネージャ1115は、図13を参照して説明される基地局通信マネージャ1315の態様の例であり得る。
【０１５２】
基地局通信マネージャ1115はまた、リソースグラントマネージャ1125と、シンボル場所マネージャ1130と、指示マネージャ1135とを含み得る。
【０１５３】
リソースグラントマネージャ1125は、UEに、TTI内のデータ通信のためのリソースグラントを送信し得る。
【０１５４】
シンボル場所マネージャ1130は、基準信号がデータ通信とともに通信されるべきであるTTIの中のシンボル場所のセットを選択し得る。
【０１５５】
指示マネージャ1135は、基準信号が通信されるべきであるTTIの中のシンボル場所のセットをUEが特定することを可能にするために、リソースグラントと関連付けられる制御信号構成および終了シンボルインデックスの指示を送信し得る。
【０１５６】
送信機1120は、デバイスの他の構成要素によって生成された信号を送信することができる。いくつかの例では、送信機1120は、トランシーバモジュールの中で受信機1110と一緒に置かれ得る。たとえば、送信機1120は、図13を参照して説明されるトランシーバ1335の態様の例であり得る。送信機1120は、単一のアンテナまたはアンテナのセットを利用し得る。
【０１５７】
図12は、本開示の態様による、基準信号パターンの決定をサポートする基地局通信マネージャ1215のブロック図1200を示す。基地局通信マネージャ1215は、図10、図11、および図13を参照して説明される基地局通信マネージャ1315の態様の例であり得る。基地局通信マネージャ1215は、リソースグラントマネージャ1220、シンボル場所マネージャ1225、指示マネージャ1230、終了シンボルマネージャ1235、およびRSカウント指示マネージャ1240を含み得る。これらのモジュールの各々は、(たとえば、1つまたは複数のバスを介して)互いと直接的または間接的に通信し得る。
【０１５８】
リソースグラントマネージャ1220は、UEに、TTI内のデータ通信のためのリソースグラントを送信し得る。
【０１５９】
シンボル場所マネージャ1225は、基準信号がデータ通信とともに通信されるべきであるTTIの中のシンボル場所のセットを選択し得る。
【０１６０】
指示マネージャ1230は、基準信号が通信されるべきであるTTIの中のシンボル場所のセットをUEが特定することを可能にするために、リソースグラントと関連付けられる制御信号構成および終了シンボルインデックスの指示を送信し得る。
【０１６１】
終了シンボルマネージャ1235は、終了シンボルインデックスに対して相対的な、基準信号が通信されるべきであるTTIの中の場所のセットのうちの最後のシンボル場所を選択し、最後のシンボル場所の追加の指示をUEに送信し、ダウンリンク制御インジケータ(DCI)の少なくとも1ビットにおいて追加の指示を送信し、RRC信号のフィールドにおいて追加の指示を送信し得る。
【０１６２】
RSカウント指示マネージャ1240は、UEに、TTIにおいて通信されるべき基準信号の数を示す基準信号カウント指示を送信し、UEに、基準信号が通信されるべきであるTTIの中の場所のセットのうちの最後のシンボル場所の追加の指示を送信することができ、追加の指示は終了シンボルインデックスに対して相対的であり、TTIにおいて通信されるべき基準信号の数と1つまたは複数のシンボル場所との間に矛盾が存在する場合、追加の指示が基準信号カウント指示より優先される。
【０１６３】
図13は、本開示の態様による、基準信号パターンの決定をサポートするデバイス1305を含むシステム1300の図を示す。デバイス1305は、本明細書で説明されるような基地局105の構成要素の例であり得るか、またはその構成要素を含み得る。デバイス1305は、基地局通信マネージャ1315、プロセッサ1320、メモリ1325、ソフトウェア1330、トランシーバ1335、アンテナ1340、ネットワーク通信マネージャ1345、および局間通信マネージャ1350を含めて、通信を送信および受信するための構成要素を含む、双方向の音声およびデータ通信のための構成要素を含み得る。これらの構成要素は、1つまたは複数のバス(たとえば、バス1310)を介して電子的に通信していることがある。デバイス1305は、1つまたは複数のUE115とワイヤレスに通信し得る。
【０１６４】
プロセッサ1320は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ1320は、メモリコントローラを使ってメモリアレイを動作させるように構成され得る。他の場合、メモリコントローラは、プロセッサ1320に統合され得る。プロセッサ1320は、様々な機能(たとえば、基準信号パターンの決定をサポートする機能またはタスク)を実行するために、メモリに記憶されたコンピュータ可読命令を実行するように構成され得る。
【０１６５】
メモリ1325は、RAMとROMとを含み得る。メモリ1325は、実行されると、プロセッサに、本明細書で説明される様々な機能を実行させる命令を含む、コンピュータ可読のコンピュータ実行可能ソフトウェア1330を記憶し得る。いくつかの場合、メモリ1325は、とりわけ、周辺構成要素またはデバイスとの相互作用などの、基本的なハードウェアまたはソフトウェア動作を制御し得る、BIOSを含み得る。
【０１６６】
ソフトウェア1330は、基準信号パターンの決定をサポートするためのコードを含む、本開示の態様を実装するためのコードを含み得る。ソフトウェア1330は、システムメモリまたは他のメモリなどの、非一時的コンピュータ可読媒体に記憶され得る。いくつかの場合、ソフトウェア1330は、プロセッサによって直接実行可能ではないことがあるが、(たとえば、コンパイルされ、実行されると)本明細書で説明される機能をコンピュータに実行させることがある。
【０１６７】
トランシーバ1335は、上で説明されたような1つもしくは複数のアンテナ、有線リンク、またはワイヤレスリンクを介して双方向に通信し得る。たとえば、トランシーバ1335は、ワイヤレストランシーバを表すことがあり、別のワイヤレストランシーバと双方向に通信することができる。トランシーバ1335はまた、送信のためにパケットを変調し、変調されたパケットをアンテナに提供し、かつアンテナから受信されたパケットを復調するためのモデムを含み得る。
【０１６８】
いくつかの場合、ワイヤレスデバイスは、単一のアンテナ1340を含み得る。しかしながら、いくつかの場合、デバイスは、複数のワイヤレス送信を同時に送信または受信することが可能であり得る複数のアンテナ1340を有し得る。
【０１６９】
ネットワーク通信マネージャ1345は、(たとえば、1つまたは複数の有線バックホールリンクを介して)コアネットワークとの通信を管理し得る。たとえば、ネットワーク通信マネージャ1345は、1つまたは複数のUE115などの、クライアントデバイスのためのデータ通信の転送を管理し得る。
【０１７０】
局間通信マネージャ1350は、他の基地局105との通信を管理することができ、他の基地局105と協働してUE115との通信を制御するためのコントローラまたはスケジューラを含み得る。たとえば、局間通信マネージャ1350は、ビームフォーミングまたはジョイント送信などの様々な干渉緩和技法のために、UE115への送信のスケジューリングを協調させ得る。いくつかの例では、局間通信マネージャ1350は、基地局105間の通信を行うために、LTE/LTE-Aワイヤレス通信ネットワーク技術内のX2インターフェースを提供し得る。
【０１７１】
図14は、本開示の態様による、基準信号パターンの決定のための方法1400を示すフローチャートを示す。方法1400の動作は、本明細書で説明されたように、UE115またはその構成要素によって実施され得る。たとえば、方法1400の動作は、図6〜図9を参照して説明されたようなUE通信マネージャによって実行され得る。いくつかの例では、UE115は、以下で説明される機能を実行するようにデバイスの機能要素を制御するためのコードのセットを実行し得る。加えて、または代替として、UE115は、専用ハードウェアを使用して、以下で説明される機能の態様を実行し得る。
【０１７２】
ブロック1405において、UE115は、基地局から、TTI内のデータ通信のためのリソースグラントを受信し得る。ブロック1405の動作は、本明細書で説明される方法に従って実行され得る。いくつかの例では、ブロック1405の動作の態様は、図6〜図9を参照して説明されたようなリソースグラントマネージャによって実行され得る。
【０１７３】
ブロック1410において、UE115は、基地局から、リソースグラントと関連付けられる制御信号構成および終了シンボルインデックスの指示を受信し得る。ブロック1410の動作は、本明細書で説明される方法に従って実行され得る。いくつかの例では、ブロック1410の動作の態様は、図6〜図9を参照して説明されたような指示マネージャによって実行され得る。
【０１７４】
ブロック1415において、UE115は、受信された指示に少なくとも一部基づいて、基準信号がデータ通信とともに通信されるべきであるTTIの中の複数のシンボル場所を特定し得る。ブロック1415の動作は、本明細書で説明される方法に従って実行され得る。いくつかの例では、ブロック1415の動作の態様は、図6〜図9を参照して説明されたようなシンボル場所マネージャによって実行され得る。
【０１７５】
図15は、本開示の態様による、基準信号パターンの決定のための方法1500を示すフローチャートを示す。方法1500の動作は、本明細書で説明されたように、UE115またはその構成要素によって実施され得る。たとえば、方法1500の動作は、図6〜図9を参照して説明されたようなUE通信マネージャによって実行され得る。いくつかの例では、UE115は、以下で説明される機能を実行するようにデバイスの機能要素を制御するためのコードのセットを実行し得る。加えて、または代替として、UE115は、専用ハードウェアを使用して、以下で説明される機能の態様を実行し得る。
【０１７６】
ブロック1505において、UE115は、基地局から、TTI内のデータ通信のためのリソースグラントを受信し得る。ブロック1505の動作は、本明細書で説明される方法に従って実行され得る。いくつかの例では、ブロック1505の動作の態様は、図6〜図9を参照して説明されたようなリソースグラントマネージャによって実行され得る。
【０１７７】
ブロック1510において、UE115は、基地局から、リソースグラントと関連付けられる制御信号構成および終了シンボルインデックスの指示を受信し得る。ブロック1510の動作は、本明細書で説明される方法に従って実行され得る。いくつかの例では、ブロック1510の動作の態様は、図6〜図9を参照して説明されたような指示マネージャによって実行され得る。
【０１７８】
ブロック1515において、UE115は、受信された指示に少なくとも一部基づいて、基準信号がデータ通信とともに通信されるべきであるTTIの中の複数のシンボル場所を特定し得る。ブロック1515の動作は、本明細書で説明される方法に従って実行され得る。いくつかの例では、ブロック1515の動作の態様は、図6〜図9を参照して説明されたようなシンボル場所マネージャによって実行され得る。
【０１７９】
ブロック1520において、UE115は、データ通信に使用されるTTIの中の最後のデータシンボルと関連付けられるものとして、終了シンボルインデックスを特定し得る。ブロック1520の動作は、本明細書で説明される方法に従って実行され得る。いくつかの例では、ブロック1520の動作の態様は、図6〜図9を参照して説明されたような終了シンボルマネージャによって実行され得る。
【０１８０】
図16は、本開示の態様による、基準信号パターンの決定のための方法1600を示すフローチャートを示す。方法1600の動作は、本明細書で説明されたように、UE115またはその構成要素によって実施され得る。たとえば、方法1600の動作は、図6〜図9を参照して説明されたようなUE通信マネージャによって実行され得る。いくつかの例では、UE115は、以下で説明される機能を実行するようにデバイスの機能要素を制御するためのコードのセットを実行し得る。加えて、または代替として、UE115は、専用ハードウェアを使用して、以下で説明される機能の態様を実行し得る。
【０１８１】
ブロック1605において、UE115は、基地局から、TTI内のデータ通信のためのリソースグラントを受信し得る。ブロック1605の動作は、本明細書で説明される方法に従って実行され得る。いくつかの例では、ブロック1605の動作の態様は、図6〜図9を参照して説明されたようなリソースグラントマネージャによって実行され得る。
【０１８２】
ブロック1610において、UE115は、基地局から、リソースグラントと関連付けられる制御信号構成および終了シンボルインデックスの指示を受信し得る。ブロック1610の動作は、本明細書で説明される方法に従って実行され得る。いくつかの例では、ブロック1610の動作の態様は、図6〜図9を参照して説明されたような指示マネージャによって実行され得る。
【０１８３】
ブロック1615において、UE115は、受信された指示に少なくとも一部基づいて、基準信号がデータ通信とともに通信されるべきであるTTIの中の複数のシンボル場所を特定し得る。ブロック1615の動作は、本明細書で説明される方法に従って実行され得る。いくつかの例では、ブロック1615の動作の態様は、図6〜図9を参照して説明されたようなシンボル場所マネージャによって実行され得る。
【０１８４】
ブロック1620において、UE115は、基地局から、TTIにおいて通信されるべき基準信号の数を示す基準信号カウント指示を受信し得る。ブロック1620の動作は、本明細書で説明される方法に従って実行され得る。いくつかの例では、ブロック1620の動作の態様は、図6〜図9を参照して説明されたようなRSカウント指示マネージャによって実行され得る。
【０１８５】
ブロック1625において、UE115は、基地局から、基準信号が通信されるべきであるTTIの中の複数の場所のうちの最後のシンボル場所の追加の指示を受信することができ、追加の指示は終了シンボルインデックスに対して相対的であり、TTIにおいて通信されるべき基準信号の数と複数のシンボル場所との間に矛盾が存在する場合、追加の指示が基準信号カウント指示より優先される。ブロック1625の動作は、本明細書で説明される方法に従って実行され得る。いくつかの例では、ブロック1625の動作の態様は、図6〜図9を参照して説明されたようなRSカウント指示マネージャによって実行され得る。
【０１８６】
図17は、本開示の態様による、基準信号パターンの決定のための方法1700を示すフローチャートを示す。方法1700の動作は、本明細書で説明されたように、基地局105またはその構成要素によって実施され得る。たとえば、方法1700の動作は、図10〜図13を参照して説明されたような基地局通信マネージャによって実行され得る。いくつかの例では、基地局105は、下で説明される機能を実行するようにデバイスの機能要素を制御するためのコードのセットを実行し得る。加えて、または代替として、基地局105は、専用ハードウェアを使用して以下で説明される機能の態様を実行し得る。
【０１８７】
ブロック1705において、基地局105は、UEに、TTI内のデータ通信のためのリソースグラントを送信し得る。ブロック1705の動作は、本明細書で説明される方法に従って実行され得る。いくつかの例では、ブロック1705の動作の態様は、図10〜図13を参照して説明されたようなリソースグラントマネージャによって実行され得る。
【０１８８】
ブロック1710において、基地局105は、基準信号がデータ通信とともに通信されるべきであるTTIの中の複数のシンボル場所を選択し得る。ブロック1710の動作は、本明細書で説明される方法に従って実行され得る。いくつかの例では、ブロック1710の動作の態様は、図10〜図13を参照して説明されたようなシンボル場所マネージャによって実行され得る。
【０１８９】
ブロック1715において、基地局105は、基準信号が通信されるべきであるTTIの中の複数のシンボル場所をUEが特定することを可能にするために、リソースグラントと関連付けられる制御信号構成および終了シンボルインデックスの指示を送信し得る。ブロック1715の動作は、本明細書で説明される方法に従って実行され得る。いくつかの例では、ブロック1715の動作の態様は、図10〜図13を参照して説明されたような指示マネージャによって実行され得る。
【０１９０】
図18は、本開示の態様による、基準信号パターンの決定のための方法1800を示すフローチャートを示す。方法1800の動作は、本明細書で説明されたように、基地局105またはその構成要素によって実施され得る。たとえば、方法1800の動作は、図10〜図13を参照して説明されたような基地局通信マネージャによって実行され得る。いくつかの例では、基地局105は、下で説明される機能を実行するようにデバイスの機能要素を制御するためのコードのセットを実行し得る。加えて、または代替として、基地局105は、専用ハードウェアを使用して以下で説明される機能の態様を実行し得る。
【０１９１】
ブロック1805において、基地局105は、UEに、TTI内のデータ通信のためのリソースグラントを送信し得る。ブロック1805の動作は、本明細書で説明される方法に従って実行され得る。いくつかの例では、ブロック1805の動作の態様は、図10〜図13を参照して説明されたようなリソースグラントマネージャによって実行され得る。
【０１９２】
ブロック1810において、基地局105は、基準信号がデータ通信とともに通信されるべきであるTTIの中の複数のシンボル場所を選択し得る。ブロック1810の動作は、本明細書で説明される方法に従って実行され得る。いくつかの例では、ブロック1810の動作の態様は、図10〜図13を参照して説明されたようなシンボル場所マネージャによって実行され得る。
【０１９３】
ブロック1815において、基地局105は、基準信号が通信されるべきであるTTIの中の複数のシンボル場所をUEが特定することを可能にするために、リソースグラントと関連付けられる制御信号構成および終了シンボルインデックスの指示を送信し得る。ブロック1815の動作は、本明細書で説明される方法に従って実行され得る。いくつかの例では、ブロック1815の動作の態様は、図10〜図13を参照して説明されたような指示マネージャによって実行され得る。
【０１９４】
ブロック1820において、基地局105は、終了シンボルインデックスに対して相対的な、基準信号が通信されるべきであるTTIの中の複数の場所のうちの最後のシンボル場所を選択し得る。ブロック1820の動作は、本明細書で説明される方法に従って実行され得る。いくつかの例では、ブロック1820の動作の態様は、図10〜図13を参照して説明されたような終了シンボルマネージャによって実行され得る。
【０１９５】
ブロック1825において、基地局105は、最後のシンボル場所の追加の指示をUEに送信し得る。ブロック1825の動作は、本明細書で説明される方法に従って実行され得る。いくつかの例では、ブロック1825の動作の態様は、図10〜図13を参照して説明されたような終了シンボルマネージャによって実行され得る。
【０１９６】
上で説明された方法は可能な実装形態について説明すること、動作およびステップは再構成され、または別様に修正され得ること、ならびに他の実装形態が可能であることに留意されたい。さらに、方法のうちの2つ以上からの態様が組み合わされ得る。
【０１９７】
本明細書で説明される技法は、符号分割多元接続(CDMA(登録商標))、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMA(登録商標)システムは、CDMA2000、Universal Terrestrial Radio Access (UTRA)などの無線技術を実装し得る。CDMA2000は、IS-2000、IS-95およびIS-856規格をカバーする。IS-2000リリースは、通常、CDMA2000 1X、1Xなどと呼ばれることがある。IS-856(TIA-856)は、通常、CDMA2000 1xEV-DO、High Rate Packet Data (HRPD)などと呼ばれる。UTRAは、Wideband CDMA(登録商標) (WCDMA(登録商標))、およびCDMA(登録商標)の他の変形を含む。TDMAシステムは、Global System for Mobile Communications (GSM(登録商標))などの無線技術を実装し得る。
【０１９８】
OFDMAシステムは、Ultra Mobile Broadband (UMB)、Evolved UTRA(E-UTRA)、米国電気電子技術者協会(IEEE) 802.11(Wi-Fi)、IEEE 802.16(WiMAX)、IEEE 802.20、Flash-OFDMなどの無線技術を実装し得る。UTRAおよびE-UTRAは、Universal Mobile Telecommunications System (UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)と称する組織からの文書に記載されている。本明細書で説明された技法は、上述のシステムおよび無線技術、ならびに他のシステムおよび無線技術に使用され得る。LTEシステムまたはNRシステムの態様が例として説明されることがあり、説明の大部分においてLTE用語またはNR用語が使用されることがあるが、本明細書で説明された技法はLTE適用例またはNR適用例以外に適用可能である。
【０１９９】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることがあり、フェムトセルとの関連付けを有するUE115(たとえば、限定加入者グループ(CSG)の中のUE115、自宅内のユーザのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セルをサポートすることができ、1つまたは複数のコンポーネントキャリアを使用する通信もサポートすることができる。
【０２００】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は時間的に概ね揃えられ得る。非同期動作の場合、基地局105は異なるフレームタイミングを有することがあり、異なる基地局105からの送信は時間的に揃えられないことがある。本明細書で説明される技法は、同期動作または非同期動作のいずれかのために使用され得る。
【０２０１】
本明細書で説明された情報および信号は、多種多様な技術および技法のいずれかを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場もしくは光学粒子、またはそれらの任意の組合せによって表され得る。
【０２０２】
本明細書の本開示に関して説明される様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０２０３】
本明細書で説明された機能は、ハードウェア、プロセッサによって実行されるソフトウェア、ファームウェア、またはそれらの任意の組合せとして実装され得る。プロセッサによって実行されるソフトウェアにおいて実装される場合、機能は、1つもしくは複数の命令またはコードとして、コンピュータ可読媒体上に記憶され、あるいはコンピュータ可読媒体を介して送信され得る。他の例および実装形態が、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的位置において実装されるように分散されることを含めて、様々な場所に物理的に配置され得る。
【０２０４】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ランダムアクセスメモリ(RAM)、読取り専用メモリ(ROM)、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用もしくは専用コンピュータまたは汎用もしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、データをレーザーで光学的に再生する。上記の組合せもコンピュータ可読媒体の範囲内に含まれる。
【０２０５】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づき得る。言い換えれば、本明細書で使用される「に基づいて」という句は、「に少なくとも一部基づいて」という句と同様にして解釈されるものとする。
【０２０６】
添付の図では、同様の構成要素または特徴は同じ参照ラベルを有し得る。さらに、同じタイプの様々な構成要素は、参照ラベルの後、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２０７】
添付の図面に関して本明細書に記載される説明は、例示的な構成について説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０２０８】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２０９】
100  ワイヤレス通信システム
105  基地局
110  地理的カバレッジエリア
115  UE
125  通信リンク
130  コアネットワーク
132  バックホールリンク
134  バックホールリンク
200  スロット構成
200-a  スロット構成
200-b  スロット構成
200-c  スロット構成
200-d  スロット構成
200-e  スロット構成
200-f  スロット構成
205  制御リソース
210  基準信号
215  データ信号
220  シンボル
225  スロット構成
230  スロット構成
235  スロット構成
240  スロット構成
245  スロット構成
250  スロット構成
255  スロット構成
260  スロット構成
265  スロット構成
270  スロット構成
275  スロット構成
280  スロット構成
300  スロット構成
300-a  スロット構成
300-b  スロット構成
305  制御リソース
310  基準信号
315  データ信号
320  シンボル
325  スロット構成
330  スロット構成
335  スロット構成
340  スロット構成
345  スロット構成
400  スロット構成
405  制御信号
410  基準信号
415  データ信号
420  シンボル
425  スロット構成
430  スロット構成
500  スロット構成
505  制御信号
510  基準信号
515  データ信号
520  シンボル
525  スロット構成
530  スロット構成
600  ブロック図
605  ワイヤレスデバイス
610  受信機
615  UE通信マネージャ
620  送信機
700  ブロック図
705  ワイヤレスデバイス
710  受信機
715  UE通信マネージャ
720  送信機
725  リソースグラントマネージャ
730  指示マネージャ
735  シンボル場所マネージャ
800  ブロック図
815  UE通信マネージャ
820  リソースグラントマネージャ
825  指示マネージャ
830  シンボル場所マネージャ
835  終了シンボルマネージャ
840  RE FDMマネージャ
845  RSカウント指示マネージャ
900  システム
905  デバイス
910  バス
915  UE通信マネージャ
920  プロセッサ
925  メモリ
930  ソフトウェア
935  トランシーバ
940  アンテナ
945  I/Oコントローラ
1000  ブロック図
1005  ワイヤレスデバイス
1010  受信機
1015  基地局通信マネージャ
1020  送信機
1100  ブロック図
1105  ワイヤレスデバイス
1110  受信機
1115  基地局通信マネージャ
1120  送信機
1125  リソースグラントマネージャ
1130  シンボル場所マネージャ
1135  指示マネージャ
1200  ブロック図
1215  基地局通信マネージャ
1220  リソースグラントマネージャ
1225  シンボル場所マネージャ
1230  指示マネージャ
1235  終了シンボルマネージャ
1240  RSカウント指示マネージャ
1300  システム
1305  デバイス
1310  バス
1315  基地局通信マネージャ
1320  プロセッサ
1325  メモリ
1330  ソフトウェア
1335  トランシーバ
1340  アンテナ
1345  ネットワーク通信マネージャ
1350  局間通信マネージャ
1400  方法
1500  方法
1600  方法
1700  方法
1800  方法
【図１】
2020533865.tif 000003
【図２Ａ】
2020533865.tif 000004
【図２Ｂ】
2020533865.tif 000005
【図２Ｃ】
2020533865.tif 000006
【図２Ｄ】
2020533865.tif 000007
【図２Ｅ】
2020533865.tif 000008
【図２Ｆ】
2020533865.tif 000009
【図３Ａ】
2020533865.tif 000010
【図３Ｂ】
2020533865.tif 000011
【図４】
2020533865.tif 000012
【図５】
2020533865.tif 000013
【図６】
2020533865.tif 000014
【図７】
2020533865.tif 000015
【図８】
2020533865.tif 000016
【図９】
2020533865.tif 000017
【図１０】
2020533865.tif 000018
【図１１】
2020533865.tif 000019
【図１２】
2020533865.tif 000020
【図１３】
2020533865.tif 000021
【図１４】
2020533865.tif 000022
【図１５】
2020533865.tif 000023
【図１６】
2020533865.tif 000024
【図１７】
2020533865.tif 000025
【図１８】
2020533865.tif 000026
【国際調査報告】
2020533865.tif 000027
2020533865.tif 000028
2020533865.tif 000029